(57)【要約】【課題】ユーザの生体の検査で使用する検体を適切に利用する仕組みが無かった。【解決手段】ユーザ識別子と検査識別子とを有する１以上のユーザ検査情報が格納されるユーザ検査情報格納部と、検査識別子と検体の種類を識別する検体種類識別子とを有する２以上の検査情報が格納される検査情報格納部と、ユーザ識別子を含むユーザ情報をユーザ端末から受信するユーザ情報受信部と、受信されたユーザ識別子に対応する検体種類識別子を取得する検体識別子取得部と、取得された検体種類識別子に対応する１以上の元情報を取得し、当該１以上の元情報からレコメンド情報を構成する情報構成部と、レコメンド情報をユーザ端末に送信するレコメンド情報送信部とを具備する情報処理装置により、ユーザの生体の検査で使用する検体を適切に利用する仕組みを提供できる。【選択図】図１
2019053552.tif 000002
【特許請求の範囲】
【請求項１】
ユーザを識別するユーザ識別子とユーザの生体の検査を識別する検査識別子とを有する１以上のユーザ検査情報が格納されるユーザ検査情報格納部と、
検査識別子と検体の種類を識別する検体種類識別子とを有する２以上の検査情報が格納される検査情報格納部と、
ユーザ識別子を含むユーザ情報をユーザ端末から受信するユーザ情報受信部と、
前記ユーザ情報受信部が受信したユーザ識別子に対応する検体種類識別子を取得する検体識別子取得部と、
前記検体識別子取得部が取得した検体種類識別子に対応する１以上の元情報を取得し、当該１以上の元情報からユーザに推奨する情報であるレコメンド情報を構成する情報構成部と、
前記レコメンド情報を前記ユーザ端末に送信するレコメンド情報送信部とを具備する情報処理装置。
【請求項２】
前記元情報は、検査識別子であり、
前記情報構成部は、
前記検体識別子取得部が取得した検体種類識別子と対になる１以上の検査識別子であり、前記ユーザ情報受信部が受信したユーザ識別子と対になる検査識別子とは異なる検査識別子である１以上の未検査の検査識別子を取得する未検査識別子取得手段と、
前記１以上の未検査の各検査識別子を有する管理情報の一部または全部を用いて、ユーザに勧める１以上の追加検査に関するレコメンド情報を構成する情報構成手段とを具備する請求項１記載の情報処理装置。
【請求項３】
ユーザの属性値を示す１以上のユーザ属性値を用いた条件と、検査識別子とを有する１以上の検査条件が格納される検査条件格納部をさらに具備し、
前記ユーザ情報は、１以上のユーザ属性値を含み、
前記未検査識別子取得手段は、
前記１以上の未検査の検査識別子の中で、前記ユーザ情報に含まれる１以上のユーザ属性値が合致する条件と対になる１以上の未検査の検査識別子を取得する請求項２記載の情報処理装置。
【請求項４】
前記情報構成手段は、
前記１以上の追加検査に対する申し込みを受け付けることができる画面の情報であるレコメンド情報を構成し、
前記ユーザ端末から追加検査を識別する１以上の検査識別子とユーザ識別子とを含む申込情報を受信する申込情報受信部と、
前記申込情報が有するユーザ識別子に対応付けて、前記申込情報が有する１以上の検査識別子を、前記ユーザ検査情報格納部に追記する申込情報蓄積部とをさらに具備する請求項２または請求項３記載の情報処理装置。
【請求項５】
検査識別子と当該検査の基本料金を示す基本料金情報とを有する２以上の検査料金情報が格納される検査料金情報格納部と、
前記申込情報が有する１以上の各検査識別子に対応する追加検査の料金であり、前記１以上の各検査識別子に対応する基本料金情報が示す基本料金より安い金額の追加料金を取得する料金算出部と、
前記追加料金情報を、前記ユーザ識別子に対応付けて蓄積する料金蓄積部とをさらに具備する請求項４記載の情報処理装置。
【請求項６】
検体種類識別子に対応する元情報を有する１以上の管理情報が格納される管理情報格納部をさらに具備し、
前記元情報は、研究を識別する研究識別子であり、
前記情報構成部は、
前記検体識別子取得部が取得した検体種類識別子と対になる１以上の研究識別子を取得する参加研究識別子取得手段と、
前記１以上の研究識別子を有する管理情報の一部または全部を用いて、ユーザに勧める１以上の研究参加に関するレコメンド情報を構成する情報構成手段とを具備する請求項１記載の情報処理装置。
【請求項７】
１以上のユーザ属性値を用いた条件と、研究識別子とを有する１以上の研究参加条件が格納される研究参加条件格納部をさらに具備し、
前記ユーザ情報は、１以上のユーザ属性値を含み、
前記参加研究識別子取得手段は、
前記１以上の研究識別子の中で、前記ユーザ情報に含まれる１以上のユーザ属性値が合致する条件と対になる１以上の研究識別子を取得する請求項６記載の情報処理装置。
【請求項８】
前記情報構成手段は、
前記１以上の研究参加に対する申し込みを受け付けることができる画面の情報であるレコメンド情報を構成し、
前記ユーザ端末から参加する研究を識別する１以上の研究識別子とユーザ識別子とを含む申込情報を受信する申込情報受信部と、
前記申込情報が有するユーザ識別子に対応付けて、前記申込情報が有する１以上の研究識別子を、前記ユーザ検査情報格納部に追記する申込情報蓄積部とをさらに具備する請求項６または請求項７記載の情報処理装置。
【請求項９】
前記研究識別子の追記に対応して、前記ユーザ識別子に対応するユーザに対して与える報酬を示す報酬情報を取得する報酬情報取得部と、
前記申込情報が有するユーザ識別子に対応付けて、前記報酬情報を蓄積する報酬情報蓄積部とをさらに具備する請求項８記載の情報処理装置。
【請求項１０】
ユーザを識別するユーザ識別子とユーザの生体の検査を識別する検査識別子とを有する１以上のユーザ検査情報が格納されるユーザ検査情報格納部、検査識別子と検体の種類を識別する検体種類識別子とを有する２以上の検査情報が格納される検査情報格納部、ユーザ情報受信部、検体識別子取得部、情報構成部、およびレコメンド情報送信部によって実現されるレコメンド方法であって、
前記ユーザ情報受信部が、ユーザ識別子を含むユーザ情報をユーザ端末から受信するユーザ情報受信ステップと、
前記検体識別子取得部が、前記ユーザ情報受信部が受信したユーザ識別子に対応する検体種類識別子を取得する検体識別子取得ステップと、
情報構成部が、前記検体識別子取得部が取得した検体種類識別子に対応する１以上の元情報を取得し、当該１以上の元情報からユーザに推奨する情報であるレコメンド情報を構成する情報構成ステップと、
前記レコメンド情報送信部が、前記レコメンド情報を前記ユーザ端末に送信するレコメンド情報送信ステップとを含むレコメンド方法。
【請求項１１】
コンピュータがアクセス可能な記録媒体は、
ユーザを識別するユーザ識別子とユーザの生体の検査を識別する検査識別子とを有する１以上のユーザ検査情報が格納されるユーザ検査情報格納部と、
検査識別子と検体の種類を識別する検体種類識別子とを有する２以上の検査情報が格納される検査情報格納部とを具備し、
前記コンピュータを、
ユーザ識別子を含むユーザ情報をユーザ端末から受信するユーザ情報受信部と、
前記ユーザ情報受信部が受信したユーザ識別子に対応する検体種類識別子を取得する検体識別子取得部と、
前記検体識別子取得部が取得した検体種類識別子に対応する１以上の元情報を取得し、当該１以上の元情報からユーザに推奨する情報であるレコメンド情報を構成する情報構成部と、
前記レコメンド情報を前記ユーザ端末に送信するレコメンド情報送信部として機能させるためのプログラム。
【発明の詳細な説明】
【技術分野】
【０００１】
本発明は、ユーザの生体の検査に関する情報を処理する情報処理装置等に関するものである。
【背景技術】
【０００２】
従来、検体を分析した結果を示す分析結果を処理することにより、信頼性の低い検査結果が医師に報告されてしまうのを防ぐ情報処理装置も存在した（例えば、特許文献１参照）。また、手術において実施した検査で取得された情報の探索を容易化する情報処理装置も存在した（例えば、特許文献２参照）。
【先行技術文献】
【特許文献】
【０００３】
【特許文献１】特開２００７−１８０５１号公報
【特許文献２】特開２００８−２５９６６１号公報
【発明の概要】
【発明が解決しようとする課題】
【０００４】
しかし、背景技術では、検体の分析や検査で取得された情報を利用するのみであり、ユーザの生体の検査で使用する検体を適切に利用する仕組みが無かった。
【課題を解決するための手段】
【０００５】
本第一の発明の情報処理装置は、ユーザを識別するユーザ識別子とユーザの生体の検査を識別する検査識別子とを有する１以上のユーザ検査情報が格納されるユーザ検査情報格納部と、検査識別子と検体の種類を識別する検体種類識別子とを有する２以上の検査情報が格納される検査情報格納部と、ユーザ識別子を含むユーザ情報をユーザ端末から受信するユーザ情報受信部と、ユーザ情報受信部が受信したユーザ識別子に対応する検体種類識別子を取得する検体識別子取得部と、検体識別子取得部が取得した検体種類識別子に対応する１以上の元情報を取得し、当該１以上の元情報からユーザに推奨する情報であるレコメンド情報を構成する情報構成部と、レコメンド情報をユーザ端末に送信するレコメンド情報送信部とを具備する情報処理装置である。
【０００６】
かかる構成により、ユーザの生体の検査で使用する検体を適切に利用する仕組みを提供できる。
【０００７】
また、本第二の発明の情報処理装置は、第一の発明に対して、元情報は、検査識別子であり、情報構成部は、検体識別子取得部が取得した検体種類識別子と対になる１以上の検査識別子であり、ユーザ情報受信部が受信したユーザ識別子と対になる検査識別子とは異なる検査識別子である１以上の未検査の検査識別子を取得する未検査識別子取得手段と、１以上の未検査の各検査識別子を有する管理情報の一部または全部を用いて、ユーザに勧める１以上の追加検査に関するレコメンド情報を構成する情報構成手段とを具備する情報処理装置である。
【０００８】
かかる構成により、ユーザの生体の検査で使用する検体を適切に利用できる追加検査をユーザに提案できる。
【０００９】
また、本第三の発明の情報処理装置は、第二の発明に対して、ユーザの属性値を示す１以上のユーザ属性値を用いた条件と、検査識別子とを有する１以上の検査条件が格納される検査条件格納部をさらに具備し、ユーザ情報は、１以上のユーザ属性値を含み、未検査識別子取得手段は、１以上の未検査の検査識別子の中で、ユーザ情報に含まれる１以上のユーザ属性値が合致する条件と対になる１以上の未検査の検査識別子を取得する情報処理装置である。
【００１０】
かかる構成により、ユーザ属性値をも用いて、検体を適切に利用できる追加検査をユーザに提案できる。
【００１１】
また、本第四の発明の情報処理装置は、第二または第三の発明に対して、情報構成手段は、１以上の追加検査に対する申し込みを受け付けることができる画面の情報であるレコメンド情報を構成し、ユーザ端末から追加検査を識別する１以上の検査識別子とユーザ識別子とを含む申込情報を受信する申込情報受信部と、申込情報が有するユーザ識別子に対応付けて、申込情報が有する１以上の検査識別子を、ユーザ検査情報格納部に追記する申込情報蓄積部とをさらに具備する情報処理装置である。
【００１２】
かかる構成により、検体を適切に利用する追加検査を申し込むことができる仕組みを提供できる。
【００１３】
また、本第五の発明の情報処理装置は、第四の発明に対して、検査識別子と検査の基本料金を示す基本料金情報とを有する２以上の検査料金情報が格納される検査料金情報格納部と、申込情報が有する１以上の各検査識別子に対応する追加検査の料金であり、１以上の各検査識別子に対応する基本料金情報が示す基本料金より安い金額の追加料金情報を取得する料金算出部と、追加料金情報を、ユーザ識別子に対応付けて蓄積する料金蓄積部とをさらに具備する情報処理装置である。
【００１４】
かかる構成により、安価な追加検査を提供することにより、追加検査の申込みを促進できる。
【００１５】
また、本第六の発明の情報処理装置は、第一の発明に対して、検体種類識別子に対応する元情報を有する１以上の管理情報が格納される管理情報格納部をさらに具備し、元情報は、研究を識別する研究識別子であり、情報構成部は、検体識別子取得部が取得した検体種類識別子と対になる１以上の研究識別子を取得する参加研究識別子取得手段と、１以上の研究識別子を有する管理情報の一部または全部を用いて、ユーザに勧める１以上の研究参加に関するレコメンド情報を構成する情報構成手段とを具備する情報処理装置である。
【００１６】
かかる構成により、ユーザの生体の検査で使用する検体を適切に利用できる研究参加をユーザに提案できる。
【００１７】
また、本第七の発明の情報処理装置は、第六の発明に対して、１以上のユーザ属性値を用いた条件と、研究識別子とを有する１以上の研究参加条件が格納される研究参加条件格納部をさらに具備し、ユーザ情報は、１以上のユーザ属性値を含み、参加研究識別子取得手段は、１以上の研究識別子の中で、ユーザ情報に含まれる１以上のユーザ属性値が合致する条件と対になる１以上の研究識別子を取得する情報処理装置である。
【００１８】
かかる構成により、ユーザ属性値をも用いて、検体を適切に利用できる研究参加をユーザに提案できる。
【００１９】
また、本第八の発明の情報処理装置は、第六または第七の発明に対して、情報構成手段は、１以上の研究参加に対する申し込みを受け付けることができる画面の情報であるレコメンド情報を構成し、ユーザ端末から参加する研究を識別する１以上の研究識別子とユーザ識別子とを含む申込情報を受信する申込情報受信部と、申込情報が有するユーザ識別子に対応付けて、申込情報が有する１以上の研究識別子を、ユーザ検査情報格納部に追記する申込情報蓄積部とをさらに具備する情報処理装置である。
【００２０】
かかる構成により、検体を適切に利用する研究参加を申し込むことができる仕組みを提供できる。
【００２１】
また、本第九の発明の情報処理装置は、第八の発明に対して、研究識別子の追記に対応して、ユーザ識別子に対応するユーザに対して与える報酬を示す報酬情報を取得する報酬情報取得部と、申込情報が有するユーザ識別子に対応付けて、報酬情報を蓄積する報酬情報蓄積部とをさらに具備する情報処理装置である。
【００２２】
かかる構成により、ユーザに報酬を与えることにより、研究参加の申込みを促進できる。
【発明の効果】
【００２３】
本発明によれば、ユーザの生体の検査で使用する検体を適切に利用する仕組みを提供できる。
【図面の簡単な説明】
【００２４】
【図１】実施の形態１における情報システムのブロック図
【図２】同情報処理装置の動作を説明するフローチャート
【図３】同ユーザ検査情報のデータ構造図
【図４】同検査情報のデータ構造図
【図５】同管理情報のデータ構造図
【図６】同検査条件のデータ構造図
【図７】同検査料金情報のデータ構造図
【図８】同ユーザ情報のデータ構造図
【図９】同電子的な検査依頼書の出力例を示す図
【図１０】同レコメンド情報の出力例を示す図
【図１１】同検査結果の出力例を示す図
【図１２】実施の形態２における情報システムのブロック図
【図１３】同情報処理装置の動作を説明するフローチャート
【図１４】同管理情報のデータ構造図
【図１５】同研究参加条件のデータ構造図
【図１６】同レコメンド情報の出力例を示す図
【図１７】同報酬情報の出力例を示す図
【図１８】同コンピュータシステムの外観図
【図１９】同コンピュータシステムの内部構成の一例を示す図
【発明を実施するための形態】
【００２５】
以下、情報処理装置等の実施形態について図面を参照して説明する。なお、実施の形態において同じ符号を付した構成要素は同様の動作を行うので、再度の説明を省略する場合がある。
【００２６】
（実施の形態１）
図１は、本実施の形態における情報システム１００のブロック図である。情報システム１００は、情報処理装置１、および１または２以上のユーザ端末２を備える。１以上の各ユーザ端末２は、例えば、ＬＡＮやインターネット等のネットワーク、無線または有線の通信回線などを介して、情報処理装置１と通信可能に接続される。
【００２７】
情報処理装置１は、例えば、情報システム１００を運営する企業や団体等のサーバであるが、クラウドサーバやＰＳＡサーバなどでもよく、そのタイプや所在は問わない。
【００２８】
ユーザ端末２は、情報システム１００を利用するユーザの端末である。ユーザ端末２は、例えば、携帯端末であるが、ＰＣなどでもよく、その所在やタイプは問わない。携帯端末とは、例えば、タブレット端末、スマートフォン等であるが、その種類は問わない。
【００２９】
情報処理装置１は、格納部１１、受信部１２、処理部１３、および送信部１４を備える。格納部１１は、ユーザ検査情報格納部１１１、検査情報格納部１１２、管理情報格納部１１３、検査条件格納部１１４、および検査料金情報格納部１１５を備える。受信部１２は、ユーザ情報受信部１２１、および申込情報受信部１２２を備える。処理部１３は、検体識別子取得部１３１、情報構成部１３２、申込情報蓄積部１３３、料金算出部１３４、および料金蓄積部１３５を備える。情報構成部１３２は、未検査識別子取得手段１３２１、および情報構成手段１３２２を備える。送信部１４は、レコメンド情報送信部１４１を備える。なお、検査情報格納部１１２は、管理情報格納部１１３の機能も有していてよく、その場合、情報処理装置１は、管理情報格納部１１３を備えてなくても構わない。
【００３０】
ユーザ端末２は、端末格納部２１、端末受付部２２、端末処理部２３、端末送信部２４、端末受信部２５、および端末出力部２６を備える。
【００３１】
情報処理装置１を構成する格納部１１は、各種の情報を格納し得る。各種の情報とは、例えば、後述するユーザ検査情報、後述する検査情報、後述する管理情報、後述する検査条件、および後述する検査料金情報などである。
【００３２】
ユーザ検査情報格納部１１１には、１または２以上のユーザ検査情報が格納される。ユーザ検査情報とは、一のユーザの生体の検査に関する情報である。検査とは、例えば、尿検査や便検査、精液検査であるが、血液検査、口の粘膜の検査、遺伝子検査等でもよく、その種類は問わない。
【００３３】
尿検査とは、具体的には、例えば、尿中エクオール検査や、尿中インドキシル硫酸検査などであってもよい。尿中エクオール検査とは、尿中に含まれるエクオールの量を調べる検査である。エクオールとは、大豆イソフラボンが特定の腸内細菌によって代謝された物質であり、女性ホルモンと似た働きをする物質である。尿中インドキシル硫酸検査とは、尿中に含まれるインドキシル硫酸の量を調べる検査である。インドキシル硫酸とは、腸内細菌が産生する腐敗物質であるインドールの代謝物であり、腸内環境の悪化の指標となる物質である。ただし、尿検査は、例えば、尿中のカリウム値に関する尿中カリウム値検査や尿酸値に関する尿酸値検査などでもよく、尿を対象とする検査であれば何でもよい。
【００３４】
便検査とは、具体的には、例えば、腸内善玉菌検査や、腸内痩せ菌検査などであるが、便を対象とする検査であれば何でもよい。善玉菌検査とは、便に含まれる善玉菌（ビフィズス菌）と悪玉菌（クロストリジウム菌）のバランスを調べることで、腸内フローラの状態を調べる検査である。痩せ菌検査とは、便に含まれる痩せ菌（バクテロイデス菌）と悪玉菌（クロストリジウム菌）のバランスを調べることで、腸内フローラの状態を調べる検査である。
【００３５】
精液検査とは、具体的には、例えば、テストステロン検査や、亜鉛検査などであるが、精液を対象とする検査であれば何でもよい。テストステロン検査とは、精液に含まれるテストステロン値を測定することで、男性ホルモンの状態を調べる検査である。亜鉛検査とは、精液に含まれる亜鉛を測定することで、精子の妊孕力を調べる検査である。
【００３６】
ユーザ検査情報は、通常、一のユーザが購入した検査キットの情報である。検査キットとは、検体の採取や保管に必要な器具類、および郵送用の封筒などのセットである。検体とは、検査の対象となる物質であり、例えば、前述した尿や便、精液であるが、血液や口の粘膜などでもよく、その種類は問わない。器具類とは、例えば、採尿容器や検便容器、採精容器などであるが、採血器具や綿棒などでもよく、その種類は問わない。
【００３７】
また、検査キットは、例えば、住所・氏名やユーザ属性値等の情報をユーザが記入するための１または２以上の記入欄を有する書類なども含んでいてよい。書類とは、例えば、検査依頼書や問診票などであるが、その種類は問わない。検査依頼書とは、検査を依頼するための書類である。検査依頼書は、例えば、住所・氏名等のユーザ識別子や、性別、年齢、生活習慣等のユーザ属性値を記入するための１以上の記入欄を有する。ただし、検査依頼書の内容は問わない。また、ユーザ属性値等の情報は、例えば、Ｗｅｂサイトの個人ページが有する電子的な検査依頼書（図９参照：後述）の入力欄に入力されてもよい。その場合、紙面の検査依頼書は無くてもよく、検査キットの構成も問わない。
【００３８】
さらに、検査キットは、具体的には、例えば、尿中エクオール検査キット、腸内善玉菌検査キットなどであるが、その種類は問わない。
【００３９】
ユーザ検査情報は、例えば、ユーザ識別子と、検査識別子とを有する。ユーザ識別子とは、ユーザを識別する情報である。ユーザ識別子は、例えば、住所・氏名やメールアドレスなどであるが、ＩＤでもよく、ユーザを識別し得る情報であれば何でもよい。検査識別子とは、検査を識別する情報である。検査識別子は、例えば、“尿中エクオール検査”や“腸内善玉菌検査”等の検査名やＩＤなどである。ただし、検査識別子は、例えば、検査キットの識別子と考えてもよく、検査を識別し得る情報であれば何でもよい。検査キットの識別子とは、例えば、“尿中エクオール検査キット”等のキット名やＩＤなどであるが、検査キットを識別子し得る情報であれば何でもよい。
【００４０】
具体的には、ユーザ検査情報格納部１１１には、例えば、ユーザ識別子“ＡＡ”と検査識別子“尿中エクオール検査”とを有するユーザ検査情報（以下、ユーザ検査情報１と記す場合がある）、ユーザ識別子“ＢＢ”と検査識別子“痩せ菌検査”とを有するユーザ検査情報（ユーザ識別情報２）等が格納されてもよい（図３参照:後述）。
【００４１】
検査情報格納部１１２には、２以上の検査情報が格納される。検査情報とは、検査に関する情報である。検査情報は、検査識別子と検体種類識別子とを有する。検体種類識別子とは、検体の種類を識別する情報である。検体種類識別子は、例えば、“尿”や“便”、“精液”、“血液”や“口の粘膜”等の検体の種類名やＩＤなどであるが、検体の種類を識別し得る情報であれば何でもよい。
【００４２】
具体的には、検査情報格納部１１２には、例えば、検査識別子“尿中エクオール検査”と検体種類識別子“尿”とを有する検査情報（以下、検査情報１と記す場合がある）、検査識別子“腸内痩せ菌検査”と検体種類識別子“便”とを有する検査情報（検査情報２）、検査識別子“尿中インドキシル硫酸検査”と検体種類識別子“尿”とを有する検査情報３、検査識別子“腸内善玉菌検”と検体種類識別子“便”とを有する検査情報４、検査識別子“尿中カリウム値検査”と検体種類識別子“尿”とを有する検査情報５等が格納されてもよい（図４参照:後述）。
【００４３】
管理情報格納部１１３には、１以上の管理情報が格納される。管理情報とは、検体種類識別子に対応する元情報を有する情報である。元情報とは、後述するレコメンド情報の要素となり得る元の情報である。元情報は、例えば、検体の種類別に管理されている情報であることは好適である。管理情報は、例えば、検体種類識別子と、当該検体種類識別子に対応する１または２以上の元情報（以下、元情報群と記す場合がある）とを有していてもよい。
【００４４】
本実施の形態における元情報は、例えば、検査識別子である。具体的には、管理情報格納部１１３には、例えば、検体種類識別子“尿”と、元情報群“尿中エクオール検査”，“尿中インドキシル硫酸検査”，“尿中カリウム値検査”および“尿酸値検査”等とを有する管理情報（以下、管理情報１と記す場合がある）、ならびに、検体種類識別子“便”と、元情報群“腸内痩せ菌検査”および“腸内善玉菌検査”等とを有する管理情報（管理情報２）などが格納されてもよい（図５参照:後述）。
【００４５】
なお、元情報は、例えば、研究識別子であってもよい。元情報が研究識別子である場合については、実施の形態２で説明する。
【００４６】
検査条件格納部１１４には、１以上の検査条件が格納される。検査条件とは、追加の検査を推薦する条件である。実施の形態１および２に共通して、条件とは、一のユーザに対応する管理情報が有する１以上の元情報のうち、そのユーザに推薦する１以上の元情報を選択するための条件であるといってもよい。従って、本実施形態における検査条件とは、一のユーザに対応する管理情報が有する１以上の検査識別子のうち、そのユーザに推薦する１以上の検査識別子を選択するための条件であるともいえる。検査条件は、例えば、１以上のユーザ属性値を用いた条件と、追加の検査の検査識別子とを有する。ユーザ属性値とは、ユーザの属性値を示す情報である。ユーザ属性値は、例えば、性別、年齢、身長、体重、肥満度、生活習慣データなどである。生活習慣データとは、生活の習慣に関する情報である。生活習慣データは、例えば、飲酒、食事、喫煙などに関する情報であってもよい。飲酒に関する情報とは、例えば“飲酒：一日２合”等であり、食事に関する情報は、例えば“間食:毎日”等であり、喫煙に関する情報とは、例えば“煙草：一日２０本”等である。ただし、生活習慣データは、ユーザの健康に影響を与える可能性のある生活の習慣を示すデータであれば何でもよい。
【００４７】
また、ユーザ属性値は、ユーザの属性を示す情報であれば何でもよい。ただし、本実施形態では、例えば、特定の検査を受けること（例えば、“尿中エクオール検査を受けること”や“腸内痩せ菌検査を受けること”等）を示す情報は、ユーザ属性値には含まれないものとする。
【００４８】
このため、検査条件格納部１１４には、上記のような、１以上のユーザ属性値を用いた条件と、追加の検査の検査識別子とを有する１以上の検査条件に加えて、例えば、特定の検査を受けることを示す情報と、追加の検査の検査識別子とを有する１以上の検査条件（かかる１以上の各検査条件を、以下では、第二検査条件と総称する場合がある）が、さらに格納されていてもよい。なお、特定の検査を受けることを示す情報とは、例えば、特定の検査を識別する検査識別子であってもよい。つまり、第二検査条件は、特定の検査を識別する検査識別子と、追加の検査を識別する検査識別子との対であってもよい。
【００４９】
具体的には、検査条件格納部１１４には、例えば、条件“尿中エクオール検査を受けること”と検査識別子“尿中インドキシル硫酸検”とを有する第二検査条件（以下、検査条件１と記す場合がある）、条件“腸内痩せ菌検査を受けること”と検査識別子“腸内善玉菌検査”とを有する第二検査条件（検査条件２）、条件“飲酒一日２合以上”と検査識別子“尿中カリウム値検査”とを有する検査条件（検査条件３）、および条件“男＆肥満”と検査識別子“尿酸値検査”とを有する検査条件（検査条件４）等が格納されていてもよい（図６参照：後述）。
【００５０】
ただし、検査条件格納部１１４には、例えば、検査条件である検査条件３および４等のみが格納され、第二検査条件である検査条件１および２は格納されていなくてもよい。
【００５１】
検査料金情報格納部１１５には、２以上の検査料金情報が格納される。検査料金情報とは、検査の料金に関する情報である。検査料金情報は、例えば、検査識別子と、基本料金情報とを有する。基本料金情報とは、検査の基本料金を示す情報である。検査料金情報は、追加料金情報をも有していてもよい。追加料金情報とは、当該検査を追加で受ける場合の料金を示す情報である。追加料金情報は、通常、基本料金情報よりも安い金額を示す。
【００５２】
具体的には、検査料金情報格納部１１５には、例えば、検査識別子“尿中エクオール検査”と基本料金情報“４０００円”と追加料金情報“２５００円”とを有する検査料金情報（以下、検査料金情報１と記す場合がある）、検査識別子“尿中インドキシル硫酸検査”と基本料金情報“３０００円”と追加料金情報“２０００円”とを有する検査料金情報（検査料金情報２）、検査識別子“腸内痩せ菌検査”と基本料金情報“３０００円”と追加料金情報“３割引”とを有する検査料金情報３、検査識別子“腸内善玉菌検査”と基本料金情報“１００００円”と追加料金情報“４割引”とを有する検査料金情報４、検査識別子“尿中カリウム値検査”と基本料金情報“１０００円”と追加料金情報“半額”とを有する検査料金情報５、および検査識別子“尿酸値検査”と基本料金情報“８００円”と追加料金情報“５００円”とを有する検査条件６等が格納されていてもよい（図７参照：後述）。
【００５３】
受信部１２は、各種の情報を受信する。各種の情報とは、例えば、後述するユーザ情報、後述する申込情報などである。なお、その他の情報については、適時説明する。
【００５４】
ユーザ情報受信部１２１は、ユーザ端末２からユーザ情報を受信する。ユーザ情報とは、ユーザに関する情報である。ユーザ情報は、通常、ユーザ識別子を含む。また、ユーザ情報は、例えば、前述したような１以上のユーザ属性値をも含むことは好適である。
【００５５】
なお、ユーザ端末２からのユーザ情報が有するユーザ識別子は、例えば、検体のＩＤでも構わない。その場合、格納部１１には、１または２以上の各検体のＩＤが、例えば、住所・氏名等に対応付けて格納される。
【００５６】
具体的には、ユーザ情報受信部１２１は、例えば、ユーザＡＡのユーザ端末２から、ユーザ識別子“ＡＡ”と、１以上のユーザ属性値“性別：男”，“年齢：３０歳”，“肥満度：普通”，および“生活習慣データ：飲酒一日２合”等とを含むユーザ情報（以下、ユーザ情報１と記す場合がある）を受信してもよい。また、ユーザ情報受信部１２１は、例えば、ユーザＢＢのユーザ端末２から、ユーザ識別子“ＢＢ”と、１以上のユーザ属性値“性別：女”，“年齢：４０歳”，“肥満度：肥満”，および“生活習慣データ：間食毎日”等とを含むユーザ情報（ユーザ情報２）を受信してもよい。
【００５７】
なお、ユーザ情報受信部１２１が受信したユーザ情報は、通常、処理部１３によって格納部１１に蓄積される。その結果として、格納部１１には、例えば、上記ユーザ情報１〜３等が格納されてもよい（図８参照：後述）。
【００５８】
申込情報受信部１２２は、ユーザ端末２から申込情報を受信する。申込情報とは、検査を申し込む情報である。申込情報は、ユーザ識別子と、追加検査を識別する１以上の検査識別子とを含む。追加検査とは、本来の検査に追加して行われる検査であり、本来の検査と同じ検体を利用して行われる別の検査である。なお、本来の検査とは、例えば、ユーザが購入した検査キットの検査であるといってもよいし、または、申込情報が有するユーザ識別子に対応するユーザ情報に含まれる検査識別子で識別される検査であるといってもよい。
【００５９】
例えば、検査キットによる本来の検査が尿中エクオール検査である場合、追加検査は、尿中エクオール検査以外の尿検査（具体的には、尿中インドキシル硫酸検査や尿中カリウム値検査や尿酸値検査等）であってもよい。
【００６０】
処理部１３は、各種の処理を行う。各種の処理とは、例えば、後述する検体識別子取得部１３１、情報構成部１３２、申込情報蓄積部１３３、料金算出部１３４、および料金蓄積部１３５の処理などである。
【００６１】
検体識別子取得部１３１は、ユーザ情報受信部１２１が受信したユーザ識別子に対応する検体種類識別子を取得する。詳しくは、検体識別子取得部１３１は、例えば、受信されたユーザ識別子と対になる検査識別子をユーザ検査情報格納部１１１から取得し、その取得した検査識別子に対応する検体種類識別子を検査情報格納部１１２から取得してもよい。
【００６２】
情報構成部１３２は、検体識別子取得部１３１が取得した検体種類識別子に対応する１以上の元情報から、レコメンド情報を構成する。レコメンド情報とは、ユーザに推奨する情報である。本実施形態におけるレコメンド情報は、例えば、追加検査を識別する１以上の検査識別子である。ただし、レコメンド情報は、例えば、参加する研究を識別する１以上の研究識別子であってもよい。研究とは、ユーザが受ける検査と同じ検体を用いて行われる研究であるといってもよい。研究は、ユーザが新たに検体を提供しなくても参加できる研究であれば、その種類は問わない。なお、具体的な研究の例や、参加する研究については、実施の形態２で詳しく説明する。
【００６３】
具体的には、情報構成部１３２は、例えば、検体識別子取得部１３１が取得した検体種類識別子と対になる１以上の元情報を管理情報格納部１１３から取得し、その取得した管理情報が有する元情報群を構成する２以上の検査識別子のうち、１以上の未検査の検査識別子を用いて、レコメンド情報を構成してもよい。なお、情報構成部１３２は、取得された検体種類識別子と対になる１以上の元情報を、例えば、検査情報格納部から取得しても構わない。
【００６４】
その際、未検査識別子取得手段１３２１は、検体識別子取得部１３１が取得した検体種類識別子と対になる１以上の検査識別子であり、ユーザ情報受信部１２１が受信したユーザ識別子と対になる検査識別子とは異なる検査識別子である１以上の未検査の検査識別子を取得する。つまり、未検査識別子取得手段１３２１は、検体識別子取得部１３１が取得した検体種類識別子と対になる１以上の検査識別子のうち、ユーザ情報受信部１２１が受信したユーザ識別子と対になる検査識別子を除く１以上の検査識別子を取得する。従って、未検査識別子取得手段１３２１が取得する１以上の検査識別子には、ユーザ情報受信部１２１が受信したユーザ識別子と対になる検査識別子は含まれない。
【００６５】
例えば、検体識別子取得部１３１が検体種類識別子“尿”取得し、ユーザ情報受信部１２１がユーザ識別子“ＡＡ”を受信した場合、未検査識別子取得手段１３２１は、まず、取得された検体種類識別子“尿”と対になる１以上の検査識別子“尿中エクオール検査”，“尿中インドキシル硫酸検査”、“尿中カリウム値検査”および“尿酸値検査”等を取得する。次に、未検査識別子取得手段１３２１は、取得した１以上の検査識別子のうち、ユーザ情報受信部１２１が受信したユーザ識別子“ＡＡ”と対になる検査識別子“尿中エクオール検査”以外の１以上の検査識別子“尿中インドキシル硫酸検査”、“尿中カリウム値検査”および“尿酸値検査”等を、未検査の１以上の検査識別子として取得してもよい。
【００６６】
または、未検査識別子取得手段１３２１は、こうして取得した未検査の１以上の未検査の検査識別子の中で、ユーザ情報受信部１２１が受信したユーザ識別子を有するユーザ情報に含まれる１以上のユーザ属性値が合致する条件と対になる１以上の未検査の検査識別子を取得すること好適である。
【００６７】
例えば、未検査識別子取得手段１３２１は、取得した未検査の１以上の未検査の検査識別子“尿中インドキシル硫酸検査”、“尿中カリウム値検査”および“尿酸値検査”等の中で、受信されたユーザ識別子“ＡＡ”を有するユーザ情報１に含まれる１以上のユーザ属性値が合致する１番目の条件“尿中エクオール検査を受けること”と対になる検査識別子“尿中インドキシル硫酸検査”を取得し、さらに２番目の条件“飲酒：一日２合”と対になる検査識別子“尿中カリウム値検査”を取得してもよい。
【００６８】
情報構成手段１３２２は、未検査識別子取得手段１３２１が取得した１以上の未検査の各検査識別子を有する管理情報の一部または全部を用いて、ユーザに勧める１以上の追加検査に関するレコメンド情報を構成する。
【００６９】
具体的には、情報構成手段１３２２は、例えば、未検査の検査識別子群“尿中インドキシル硫酸検査”、“尿中カリウム値検査”および“尿酸値検査”等が取得された場合に、その全部を有するレコメンド情報を構成してもよい。
【００７０】
ただし、例えば、検査条件格納部１１４に、前述の検査条件１〜４等が格納されている場合、情報構成手段１３２２は、かかる未検査の検査識別子群のうち、例えば、検査条件１の条件に合致する検査識別子“尿中インドキシル硫酸検査”、および検査条件３の条件に合致する検査識別子“尿中カリウム値検査”のみを有し、いずれの検査条件にも合致しない検査識別子“尿酸値検査”等を有しないレコメンド情報を構成することは好適である。
【００７１】
または、例えば、検査条件格納部１１４に、検査条件３および４のみが格納され、第二検査条件である検査条件１および２は格納されていない場合、情報構成手段１３２２は、上記未検査の検査識別子群のうち、例えば、検査条件３の条件に合致する検査識別子“尿中カリウム値検査”のみを有し、いずれの検査条件にも合致しない検査識別子“尿酸値検査”等を有しないレコメンド情報を構成することは好適である。
【００７２】
情報構成手段１３２２は、例えば、画面の情報であるレコメンド情報を構成してもよい。画面とは、上記のような１以上の追加検査に対する申し込みを受け付けることができる画面である。画面は、例えば、１以上の検査識別子に対応する１以上の文字列（以下、追加検査名と記す場合がある）、当該１以上の追加検査名に対応する１以上のチェックボックス、および購入ボタンなどを有していてもよい。
【００７３】
画面が有する１以上の各追加検査名とは、具体的には、例えば、検査識別子“尿中インドキシル硫酸検査”に対応する追加検査名「尿中インドキシル硫酸検査」や、検査識別子“尿中カリウム値検査”に対応する対応する追加検査名「尿中カリウム値検査」などであってもよい。
【００７４】
なお、画面が有する１以上の各追加検査名には、検査料金情報に対応する文字列（以下、料金案内と記す場合がる）がさらに対応付いていることは好適である。
【００７５】
具体的には、例えば、追加検査名「尿中インドキシル硫酸検査」には、検査料金情報２に対応する料金案内「基本料金￥３０００のところを追加料金￥２０００で受けられます」が対応付いていてもよいし、追加検査名「尿中カリウム値検査」には、検査料金情報５に対応する料金案内「基本料金￥１０００の半額で追加できます」が対応付いていてもよい。
【００７６】
かかる場合、情報構成手段１３２２は、検査料金情報格納部１１５に格納されている１以上の検査料金情報を用いて、レコメンドする１以上の追加検査に対応する１以上の追加料金情報をも含むレコメンド情報を構成する。
【００７７】
画面の情報であるレコメンド情報は、１以上の検査識別子等に加えて、画面構成情報を有する。画面構成情報とは、画面を構成するための情報である。画面構成情報は、例えば、１以上の追加検査名等の文字データ、１以上のチェックボックス等の画像データ、および画像、レイアウト情報などを有する。レイアウト情報とは、画面内における１以上の追加検査名や１以上のチェックス等の配置を示す情報である。ただし、画面の構成や画面構成情報のデータ構造等は問わない。
【００７８】
こうして情報構成部１３２等が構成したレコメンド情報は、後述するレコメンド情報送信部１４１によって、当該レコメンド情報が有するユーザ識別子に対応するユーザ端末２に送信される。
【００７９】
申込情報蓄積部１３３は、申込情報受信部１２２がユーザ端末２から受信した申込情報を格納部１１に蓄積する。
【００８０】
詳しくは、申込情報蓄積部１３３は、上記のようなレコメンド情報の送信に応じて申込情報受信部１２２がユーザ端末２から受信した申込情報が有するユーザ識別子に対応付けて、当該申込情報が有する１以上の検査識別子を、ユーザ検査情報格納部１１１に追記する。
【００８１】
具体的には、例えば、受信された申込情報がユーザ識別子“ＡＡ”と２つの検査識別子“尿中インドキシル硫酸検査”および“尿中カリウム値検査”とを有する場合、申込情報蓄積部１３３は、当該ユーザ識別子“ＡＡ”を有するユーザ検査情報１に、当該２つの検査識別子“尿中インドキシル硫酸検査”および“尿中カリウム値検査”を追記してもよい。これによって、ユーザ検査情報格納部１１１には、ユーザ識別子“ＡＡ”に対応付けて、本来の検査の識別子である“尿中エクオール検査”と、追加の検査の識別子である“尿中インドキシル硫酸検査”および“尿中カリウム値検査”が格納される結果となる。
【００８２】
なお、申込情報蓄積部１３３は、追加検査に対応する１以上の各検査識別子に対し、追加の検査であることを示す情報（例えば、フラグ）を対応付けてもよい。
【００８３】
料金算出部１３４は、検査に関する料金を算出する。検査に関する料金とは、通常、１以上の追加検査に対応する追加料金である。追加料金は、例えば、１以上の追加検査に対応する１以上の追加料金の集合でもよいし、または、かかる１以上の追加料金の合計（合計追加料金）でもよい。
【００８４】
なお、料金算出部１３４が算出する料金には、追加料金以外にも、例えば、本来の検査に対応する基本料金に当該追加料金を加算した総料金が、さらに含まれていても構わない。
【００８５】
詳しくは、料金算出部１３４は、例えば、申込情報受信部１２２が受信した申込情報が有する１以上の各検査識別子に対応する追加検査の料金である追加料金情報を、検査料金情報格納部１１５から取得する。追加料金情報は、１以上の追加検査に対応する１以上の追加料金を示す情報でもよいし、かかる１以上の追加料金を合計した合計追加料金を示す情報でも構わない。
【００８６】
なお、料金算出部１３４は、受信した申込情報が有するユーザ識別子に対応するユーザ検査情報が有する検査識別子に対応する基本料金情報を、検査料金情報格納部１１５からさらに取得してもよい。なお、一の検査の追加料金は、前述したように、通常、その検査の基本料金より安い金額である。さらに、料金算出部１３４は、こうして取得した追加料金情報と基本料金情報とを用いて、受信された申込情報が有するユーザ識別子に対応するユーザの総料金をも算出してもよい。
【００８７】
具体的には、例えば、受信された申込情報がユーザ識別子“ＡＡ”と２つの検査識別子“尿中インドキシル硫酸検査”および“尿中カリウム値検査”とを有する場合、料金算出部１３４は、一方の検査識別子“尿中インドキシル硫酸検査”に対応する追加料金情報“￥２０００”を、検査料金情報２を用いて取得し、かつ、他方の検査識別子“尿中カリウム値検査”に対応する追加料金情報“￥５００”（つまり、基本料金情報“￥１０００”の半額）を、検査料金情報５を用いて取得する。また、料金算出部１３４は、こうして取得した２つの追加料金情報を用いて、合計追加料金情報“￥２５００”を算出してもよい。
【００８８】
さらに、料金算出部１３４は、当該ユーザ識別子“ＡＡ”に対応するユーザ検査情報１が有する検査識別子“尿中エクオール検査”に対応する基本料金情報を、検査料金情報１から取得し、こうして取得した２つ追加検査情報“￥２０００”および“￥５００”と基本料金情報“￥４０００”とを合計することにより、ユーザ識別子“ＡＡ”に対応するユーザＡＡの総料金“￥６５００”を算出してもよい。
【００８９】
料金蓄積部１３５は、申込情報受信部１２２が受信した申込情報に対して料金算出部１３４が算出した料金に関する情報を、当該申込情報が有するユーザ識別子に対応付けて格納部１１に蓄積する。料金蓄積部１３５は、通常、取得された追加料金情報をユーザ識別子に対応付けて蓄積する。
【００９０】
なお、総検金も算出された場合、料金蓄積部１３５は、当該総料金を示す総検金情報を、当該ユーザ識別子にさらに対応付けて格納部１１に蓄積してもよい。
【００９１】
具体的には、例えば、ユーザ識別子“ＡＡ”と２つの検査識別子“尿中インドキシル硫酸検査”および“尿中カリウム値検査”とを有する申込情報に対して、料金算出部１３４が、検査識別子“尿中インドキシル硫酸検査”に対応する追加料金情報“￥２０００”を取得し、かつ、検査識別子“尿中カリウム値検査”に対応する追加料金情報“￥５００”を取得した場合、料金蓄積部１３５は、検査識別子“尿中インドキシル硫酸検査”と追加料金情報“￥２０００”との対、および検査識別子“尿中カリウム値検査”と追加料金情報“￥５００”との対を、当該ユーザ識別子“ＡＡ”に対応付けて格納部１１に蓄積してもよい。または、料金蓄積部１３５は、かかる２つの検査識別子“尿中インドキシル硫酸検査”および“尿中カリウム値検査”と合計追加料金情報“￥２５００”との組を、当該ユーザ識別子“ＡＡ”に対応付けて格納部１１に蓄積してもよい。ただし、料金蓄積部１３５は、検査識別子を蓄積せず、２つの追加料金情報“￥２０００”および“￥５００”のみ、または合計追加料金情報“￥２５００”のみを、ユーザ識別子“ＡＡ”に対応付けて蓄積しても構わない。
【００９２】
なお、上記申込情報に対して、料金算出部１３４が総料金情報“￥６５００”をも算出した場合、料金蓄積部１３５は、当該総料金情報“￥６５００”を当該ユーザ識別子“ＡＡ”にさらに対応付けて格納部１１に蓄積してもよい。
【００９３】
なお、ユーザ識別子に対応付けて格納されている追加料金情報等は、後述する送信部１４によって、例えば、当該ユーザ識別子に対応するユーザ端末２に送信されてもよいし、または、当該ユーザ識別子と対に、金融機関の決済サーバに送信されてもよい。
【００９４】
送信部１４は、各種の情報を送信する。各種の情報とは、例えば、レコメンド情報である。
【００９５】
なお、各種の情報には、例えば、追加料金情報も含まれてよい。すなわち、送信部１４は、例えば、申込情報の受信に応じて料金算出部１３４が算出した追加検金情報、または当該申込情報が有するユーザ識別子に対応付けて格納部１１に格納されている追加料金情報を、適時、当該ユーザ識別子に対応するユーザ端末２に送信してもよい。適時とは、例えば、料金算出部１３４による算出の直後でもよいし、受信部１２がユーザ端末２から追加料金情報の要求を受信した時でもよい。
【００９６】
また、送信部１４は、例えば、受信部１２がユーザ端末２から決済指示を受信したことに応じて、追加料金情報を、ユーザ識別子と対に、金融機関の決済サーバ（図示しない）に送信してもよい。決済指示とは、追加料金情報に対する決済の指示である。決済指示は、当該ユーザ識別子に対応する口座番号やクレジットカード情報なども含んでよい。
【００９７】
レコメンド情報送信部１４１は、ユーザ情報受信部１２１が受信したユーザ情報に対して情報構成部１３２等が構成したレコメンド情報を、当該ユーザ情報が有するユーザ識別子で識別されるユーザ端末２に送信する。
【００９８】
具体的には、例えば、ユーザ情報受信部１２１が、ユーザ識別子“ＡＡ”と１以上のユーザ属性値“性別：女”，“年齢：３０歳”，“肥満度：普通”，および“生活習慣データ：飲酒一日２合”と検査識別子“尿中エクオール検査”とを含むユーザ情報を受信した場合、情報構成部１３２等によって、検査識別子“尿中エクオール検査”に合致する条件を含む検査条件１から取得された検査識別子“尿中エクオール検査”と、ユーザ属性値“生活習慣データ：飲酒一日２合”に合致する条件を含む検査条件３から取得された検査識別子“尿中カリウム値検査”と、画面構成情報とを有するレコメンド情報が構成される。
【００９９】
この画面構成情報は、２つの検査名「尿中インドキシル硫酸検査」および「尿中カリウム値検査」等の文字データ、当該２つの検査名に対応する２つのチェックボックスおよび購入ボタン等の画像データ、およびレイアウト情報を有しており、レコメンド情報送信部１４１は、こうして構成された、画面の情報であるユーザ端末２を、ユーザ識別子“ＡＡで識別されるユーザＡＡのユーザ端末２に送信する。
【０１００】
ユーザＡＡのユーザ端末２において、かかるレコメンド情報が受信され、そのディスプレイに、２つの検査名「尿中インドキシル硫酸検査」および「尿中カリウム値検査」、当該２つの検査名に対応する２つのチェックボックス、および購入ボタンなどを有する画面（図１０参照:後述）が表示される。ユーザＡＡは、画面内の２つのチェックボックスのうち１以上にチェックを入れることで、尿中インドキシル硫酸検査および尿中カリウム値検査のうち１以上の検査の追加を申し込むことができる。
【０１０１】
ユーザ端末２を構成する端末格納部２１は、各種の情報を格納し得る。各種の情報とは、例えば、ユーザ識別子である。具体的には、例えば、ユーザＡＡのユーザ端末２を構成する端末格納部２１には、ユーザ識別子“ＡＡ”が格納される。
【０１０２】
なお、端末格納部２１には、例えば、端末識別子も格納される。端末識別子とは、ユーザ端末２を識別する情報である。端末識別子は、例えば、ＭＡＣアドレスやＩＰアドレス等のアドレス、ＩＤなどである。ただし、端末識別子は、ユーザ識別子と兼用でもよく、ユーザ端末２を識別し得る情報であれば何でもよい。
【０１０３】
端末受付部２２は、各種の情報を受け付ける。各種の情報とは、例えば、ユーザ情報、申込情報などである。また、端末受付部２２は、例えば、決済指示や、総料金情報の要求なども受け付けてよい。
【０１０４】
端末処理部２３は、各種の処理を行う。各種の処理とは、例えば、端末受付部２２が各種の情報を受け付けたか否かの判別や、端末受信部２５が各種の情報を受信したか否かの判別などである。
【０１０５】
端末送信部２４は、各種の情報を送信する。各種の情報とは、例えば、ユーザ情報、申込報情報などである。端末送信部２４は、端末受付部２２が受け付けたユーザ情報や申込情報を、情報処理装置１に送信する。なお、端末送信部２４は、例えば、端末受付部２２が受け付けた総料金情報の要求を情報処理装置１に送信しもよい。また、端末送信部２４は、例えば、端末受付部２２が受け付けた決済指示を、図示しない決済サーバに送信してもよい。
【０１０６】
端末受信部２５は、情報処理装置１からレコメンド情報を受信する。なお、端末受信部２５は、端末送信部２４による上記要求の送信に応じて、情報処理装置１から総料金情報を受信してもよい。また、端末受信部２５は、例えば、端末送信部２４による上記決済指示の送信に応じて、決済サーバから決済結果を受信してもよい。決済結果とは、決済の結果に関する情報である。決済結果は、例えば、決済が完了した旨の情報でもよい。
【０１０７】
端末出力部２６は、端末受信部２５が受信したレコメンド情報を出力する。なお、出力されるレコメンド情報は、受信されたレコメンド情報と同じでなくてもよい。
【０１０８】
出力とは、例えば、ディスプレイへの表示、スピーカからの音出力、外部の装置への送信、プリンタでのプリントアウト、記録媒体への蓄積、他の処理装置や他のプログラムなどへの処理結果の引渡しなどを含む概念である。端末出力部２６は、受信されたレコメンド情報を、通常、ユーザ端末２内のディスプレイやスピーカ等の出力デバイスを介して出力するが、例えば、外部ディスプレイに送信したり、プリンタでプリントアウトしたり、端末格納部２１に蓄積したり、他のプログラムに引渡したりしてもよく、その出力態様や出力先は構わない。
【０１０９】
具体的には、例えば、ユーザＡＡのユーザ端末２において、端末受信部２５が受信したレコメンド情報が、２つの検査識別子“尿中インドキシル硫酸検査”および“尿中カリウム値検査”と、画面構成情報とを含み、この画面構成情報が、２つの検査名「尿中インドキシル硫酸検査」および「尿中カリウム値検査」等の文字データ、当該２つの検査名に対応する２つのチェックボックスおよび購入ボタン等の画像データ、およびレイアウト情報を有する場合、端末出力部２６は、２つの検査名「尿中インドキシル硫酸検査」および「尿中カリウム値検査」、当該２つの検査名に対応する２つのチェックボックス、および購入ボタンを有する画面を構成し、ディスプレイを介して出力してもよい。
【０１１０】
ユーザＡＡは、この画面内の２つのチェックボックスのうち１以上に、タッチパネル等の入力デバイスを介してチェックを入れることで、尿中インドキシル硫酸検査および尿中カリウム値検査のうち１以上の検査の追加を申し込むことができる。
【０１１１】
例えば、２つのチェックボックスの両方にチェックを入れる操作が行われると、端末受付部２２がこれを受け付け、端末送信部２４は、端末格納部２１に格納されているユーザ識別子“ＡＡ”と、受信された上記レコメンド情報が有する２つの検査識別子“尿中インドキシル硫酸検査”および“尿中カリウム値検査”とを有する申込情報を構成し、情報処理装置１に送信する。
【０１１２】
格納部１１、ユーザ検査情報格納部１１１、検査情報格納部１１２、管理情報格納部１１３、検査条件格納部１１４、検査料金情報格納部１１５、および端末格納部２１は、例えば、ハードディスクやフラッシュメモリといった不揮発性の記録媒体が好適であるが、ＲＡＭなど揮発性の記録媒体でも実現可能である。格納部１１等に情報が記憶される過程は問わない。例えば、記録媒体を介して情報が格納部１１等で記憶されるようになってもよく、ネットワークや通信回線等を介して送信された情報が格納部１１等で記憶されるようになってもよく、あるいは、入力デバイスを介して入力された情報が格納部１１等で記憶されるようになってもよい。入力デバイスは、例えば、キーボード、マウス、タッチパネル等、何でもよい。なお、かかる事項は、実施の形態２における格納部３１、および研究参加条件格納部３１４にも当てはまる。
【０１１３】
受信部１２、ユーザ情報受信部１２１、申込情報受信部１２２、および端末受信部２５は、通常、有線または無線の通信手段（例えば、ＮＩＣ(Network interface controller)やモデム等の通信モジュール）で実現されるが、放送を受信する手段（例えば、放送受信モジュール）で実現されてもよい。なお、かかる事項は、実施の形態２における受信部３２、および申込情報受信部３２２にも当てはまる。
【０１１４】
処理部１３、検体識別子取得部１３１、情報構成部１３２、未検査識別子取得手段１３２１、および情報構成手段１３２２、申込情報蓄積部１３３、料金算出部１３４、料金蓄積部１３５、および端末処理部２３は、通常、ＭＰＵやメモリ等から実現され得る。処理部１３等の処理手順は、通常、ソフトウェアで実現され、当該ソフトウェアはＲＯＭ等の記録媒体に記録されている。ただし、処理手順は、ハードウェア（専用回路）で実現してもよい。なお、かかる事項は、実施の形態２における情報構成部３３２、参加研究識別子取得手段３３２１、情報構成手段３３２２、申込情報蓄積部３３３、報酬情報取得部３３４、および酬情報蓄積部３３５にも当てはまる。
【０１１５】
送信部１４、レコメンド情報送信部１４１、および端末送信部２４は、通常、有線または無線の通信手段で実現されるが、放送手段（例えば、放送モジュール）で実現されてもよい。
【０１１６】
端末受付部２２は、入力デバイスを含むと考えても、含まないと考えてもよい。端末受付部２２等は、入力デバイスのドライバーソフトによって、または入力デバイスとそのドライバーソフトとで実現され得る。
【０１１７】
次に、情報システム１００の動作について図２のフローチャートを用いて説明する。図２は、情報処理装置１の動作を説明するフローチャートである。
【０１１８】
（ステップＳ２０１）処理部１３は、ユーザ情報受信部１２１がユーザ識別子を含むユーザ情報を受信したか否かを判別する。ユーザ情報受信部１２１がユーザ識別子を含むユーザ情報を受信した場合はステップＳ２０２に進み、受信していない場合はステップＳ２０７に進む。
【０１１９】
（ステップＳ２０２）処理部１３は、ステップＳ２０１で受信されたユーザ情報を格納部１１に蓄積する。
【０１２０】
（ステップＳ２０３）検体識別子取得部１３１は、ステップＳ２０１で受信されたユーザ情報に含まれるユーザ識別子に対応する検体種類識別子を取得する。検体識別子取得部１３１は、例えば、受信されたユーザ識別子と対になる検査識別子をユーザ検査情報格納部１１１から取得し、取得した検査識別子に対応する検体種類識別子を検査情報格納部１１２から取得してもよい。
【０１２１】
（ステップＳ２０４）未検査識別子取得手段１３２１は、ステップＳ２０３で取得された検体種類識別子と対になる１以上の検査識別子であり、ステップＳ２０１で受信されたユーザ識別子と対になる検査識別子とは異なる検査識別子である１以上の未検査の検査識別子を、管理情報格納部１１３から取得する。その際、未検査識別子取得手段１３２１は、かかる１以上の未検査の検査識別子のうち、ステップＳ２０１で受信されたユーザ情報に含まれる１以上のユーザ属性値が合致する条件と対になる１以上の未検査の検査識別子を、検査条件格納部１１４の検査条件を用いて、取得することは好適である。
【０１２２】
（ステップＳ２０５）情報構成手段１３２２は、ステップＳ２０４で取得された１以上の未検査の各検査識別子を有する管理情報の一部または全部を用いて、ステップＳ２０１で受信されたユーザ情報に含まれるユーザ識別子で識別されるユーザに勧める１以上の追加検査に関するレコメンド情報を構成する。
【０１２３】
（ステップＳ２０６）レコメンド情報送信部１４１は、ステップＳ２０１で受信されたユーザ情報に対して情報構成部１３２等が構成したレコメンド情報を、当該ユーザが有するユーザ識別子で識別されるユーザ端末２に送信する。その後、ステップＳ２０１に戻る。
【０１２４】
（ステップＳ２０７）処理部１３は、申込情報受信部１２２が１以上の検査識別子とユーザ識別子を含む申込情報を受信したか否かを判別する。申込情報受信部１２２が１以上の検査識別子とユーザ識別子を含む申込情報を受信した場合はステップＳ２０８に進み、受信していない場合はステップＳ２０１に戻る。
【０１２５】
（ステップＳ２０８）申込情報蓄積部１３３は、ステップＳ２０７で受信された申込情報を格納部１１に蓄積する。詳しくは、申込情報蓄積部１３３は、受信された申込情報が有するユーザ識別子に対応付けて、当該申込情報が有する１以上の検査識別子を、ユーザ検査情報格納部１１１に追記する。
【０１２６】
（ステップＳ２０９）料金算出部１３４は、ステップＳ２０７で受信された申込情報が有する１以上の追加検査に対応する１以上の追加料金を検査料金情報格納部１１５から取得し、これら１以上の追加料金を含む又はそれらの合計である追加料金情報を算出する。
【０１２７】
（ステップＳ２１０）料金蓄積部１３５は、ステップＳ２０９で算出された追加料金情報を、当該申込情報が有するユーザ識別子に対応付けて格納部１１に蓄積する。その後、ステップＳ２０１に戻る。
【０１２８】
なお、図２のフローチャートにおいて、情報処理装置１の電源オンやプログラムの起動に応じて処理が開始し、電源オフや処理終了の割り込みにより処理は終了する。ただし、処理の開始または終了のトリガは問わない。
【０１２９】
以下、本実施の形態における情報システム１００の具体的な動作例について説明する。本例における情報システム１００は、情報処理装置１、および２以上のユーザ端末２を備える。情報処理装置１は、情報システム１００を運営する運営企業のサーバであり、２以上のユーザ端末２のうち１つは、ユーザＡＡの携帯端末（以下、ユーザ端末２Ａと記す場合がある）であり、２以上のユーザ端末２のうち他の１つは、ユーザＢＢの携帯端末（ユーザ端末２Ｂ）である。
【０１３０】
情報処理装置１のユーザ検査情報格納部１１１には、例えば、図３に示すような１以上のユーザ検査情報が、ＩＤ（例えば、“１”，“２”等）に対応付けて格納されている。図３は、ユーザ検査情報のデータ構造図である。図３において、ＩＤ“１”，“２”等に対応付いたユーザ検査情報が、前述したユーザ検査情報１，２等である。なお、ユーザ検査情報のデータ構造、およびユーザ検査情報１，２の内容については、前述したので繰り返さない。
【０１３１】
また、検査情報格納部１１２には、例えば、図４に示すような２以上の検査情報が、ＩＤ（例えば、“１”〜“５”等）に対応付けて格納されている。図４は、検査情報のデータ構造図である。図４において、ＩＤ“１”〜“５”等に対応付いたユーザ検査情報が、前述した検査情報１〜５等である。なお、検査情報のデータ構造、および検査情報１〜５の内容については、前述したので繰り返さない。
【０１３２】
また、管理情報格納部１１３には、例えば、図５に示すような１以上の管理情報が、ＩＤ（例えば、“１”，“２”等）に対応付けて格納されている。図５は、管理情報のデータ構造図である。図５において、ＩＤ“１”，“２”等に対応付いた管理情報が、前述した管理情報１，２等である。なお、管理情報のデータ構造、および管理情報１，２の内容については、前述したので繰り返さない。
【０１３３】
また、検査条件格納部１１４には、例えば、図６に示すような１以上の検査条件が、ＩＤ（例えば、“１”〜“４”等）に対応付けて格納されている。図６は、検査条件のデータ構造図である。図６において、ＩＤ“１”〜“４”等に対応付いた検査条件が、前述した検査条件１〜４等である。なお、検査条件のデータ構造、および検査条件１〜４の内容については、前述したので繰り返さない。
【０１３４】
また、検査料金情報格納部１１５には、例えば、図７に示すような２以上の検査料金情報が、ＩＤ（例えば、“１”〜“４”等）に対応付けて格納されている。図７は、検査料金情報のデータ構造図である。図７において、ＩＤ“１”〜“４”等に対応付いた検査料金情報が、前述した検査料金情報１〜４等である。なお、検査料金情報のデータ構造、および検査料金情報１〜４の内容については、前述したので繰り返さない。
【０１３５】
さらに、格納部１１には、例えば、図８に示すような１以上のユーザ情報が、ＩＤ（例えば、“１”〜“３”等）に対応付けて格納され得る。図８は、同ユーザ情報のデータ構造図である。図８において、ＩＤ“１”〜“３”等に対応付いた管理情報が、前述した管理情報１〜３等である。なお、ユーザ情報のデータ構造、およびユーザ情報１〜３の内容については、前述したので繰り返さない。
【０１３６】
ユーザＡＡは、尿中エクオール検査を受けるべく、尿中エクオール検査キットを購入し、検体である尿を採尿容器に採取する。この検体入りの採尿容器は、運営企業に郵送済みである。
【０１３７】
ユーザＢＢは、腸内痩せ菌検査を受けるべく、腸内痩せ菌検査キットを購入し、検体である便を検便容器に採取する。この検体入りの検便容器もまた、運営企業に郵送済みである。
【０１３８】
各ユーザから検体を受け取った運営企業において、ユーザ識別子および検査識別子の登録が行われる。これにより、ユーザ検査情報格納部１１１には、図３に示したユーザ検査情報１，２が格納される結果となる。なお、尿や便等の検体は、運営企業のＷｅｂサイト上で、後述する検査依頼書への入力が行われた後、検査機関に送られる。
【０１３９】
ユーザＡＡが、検査依頼書への入力を行うべく、ユーザ端末２Ａを用いて、上記Ｗｅｂサイトの個人ページにアクセスすると、ユーザ端末２Ａのディスプレイには、例えば、図９に示すような画面が表示される。図９は、電子的な検査依頼書の出力例を示す図である。この画面は、電子的な検査依頼書への入力を行う画面であり、例えば、住所・氏名等のユーザ識別子や、性別、年齢、生活習慣等のユーザ属性値を入力するための１以上の入力欄を有する。なお、ユーザ端末２Ａの端末出力部２６がかかる画面を構成するための画面構成情報は、例えば、端末格納部２１に予め格納されていてもよいし、端末受信部２５が情報処理装置１から受信してもよい。
【０１４０】
ユーザ端末２Ａにおいて、タッチパネル等の入力デバイスを介して１以上のユーザ属性値が入力されると、端末受付部２２がこれを受け付け、端末送信部２４は、入力された１以上のユーザ属性値と、端末格納部２１に格納されているユーザ識別子“ＡＡ”とを含むユーザ情報を、情報処理装置１に送信する。
【０１４１】
情報処理装置１において、ユーザ情報受信部１２１が上記ユーザ情報を受信し、処理部１３は、受信されたユーザ情報をＩＤ“１”に対応付けて、格納部１１に蓄積する。これにより、格納部１１には、図８に示したユーザ情報１が格納される結果となる。
【０１４２】
検体識別子取得部１３１は、受信されたユーザ情報に含まれるユーザ識別子“ＡＡ”（以下、受信されたユーザ識別子“ＡＡ”と記す場合がある）と対になる検査識別子“尿中エクオール検査”をユーザ検査情報格納部１１１のユーザ検査情報１から取得し、取得した検査識別子に対応する検体種類識別子“尿”を検査情報格納部１１２の検査情報１から取得する。
【０１４３】
未検査識別子取得手段１３２１は、取得された検体種類識別子“尿”と対になる１以上の検査識別子であり、受信されたユーザ識別子“ＡＡ”と対になる検査識別子“尿中エクオール検査”とは異なる検査識別子である１以上の未検査の検査識別子（以下、未検査の検査識別子群と記す場合がある）“尿中インドキシル硫酸検査”，“尿中カリウム値検査”，“尿酸値検査”等を、管理情報格納部１１３の管理情報１から取得する。
【０１４４】
情報構成手段１３２２は、こうして取得された１以上の未検査の各検査識別子を有する管理情報１の一部または全部を用いて、受信されたユーザ識別子“ＡＡ”で識別されるユーザＡＡに勧める１以上の追加検査に関するレコメンド情報を構成する。
【０１４５】
特に、情報構成手段１３２２は、管理情報１が有する上記未検査の検査識別子群のうち、例えば、検査条件格納部１１４の検査条件１の条件に合致する検査識別子“尿中インドキシル硫酸検査”、および検査条件３の条件に合致する検査識別子“尿中カリウム値検査”のみを有し、いずれの検査条件にも合致しない検査識別子“尿酸値検査”等を有しないレコメンド情報を構成することは好適である。また、情報構成手段１３２２は、例えば、２つの追加検査「尿中インドキシル硫酸検査」および「尿中カリウム値検査」に対する申し込みを受け付けることができる画面（図１０参照：後述）を構成するための画面構成情報、および検査料金情報をも含むレコメンド情報を構成することは、より好適である。
【０１４６】
ただし、情報構成手段１３２２は、管理情報１が有する未検査の管理情報識別子群“尿中インドキシル硫酸検査”，“尿中カリウム値検査”，“尿酸値検査”等の全部を用いて、ユーザＡＡに勧める１以上の追加検査に関するレコメンド情報を構成してもよい。
【０１４７】
レコメンド情報送信部１４１は、こうして構成されたレコメンド情報を、受信されたユーザ識別子“ＡＡ”で識別されるユーザＡＡのユーザ端末２Ａに送信する。
【０１４８】
ユーザ端末２Ａにおいて、端末受信部２５が上記レコメンド情報を受信し、端末出力部２６は、受信されたレコメンド情報をディスプレイ等の出力デバイスを介して出力する。これによって、ユーザ端末２Ａのディスプレイに、例えば、図１０に示すような画面が表示される。
【０１４９】
図１０は、レコメンド情報の出力例を示す図である。この画面は、例えば、検査識別子“尿中インドキシル硫酸検査”に対応する追加検査名「尿中インドキシル硫酸検査」、検査識別子“尿中カリウム値検査”に対応する対応する追加検査名「尿中カリウム値検査」、これら２つの追加検査名に対応する２つチェックボックス、および購入ボタンなどを有する。また、この画面において、追加検査名「尿中インドキシル硫酸検査」には、検査料金情報２に対応する料金案内「基本料金￥３０００のところを追加料金￥２０００で受けられます」が対応付き、追加検査名「尿中カリウム値検査」には、検査料金情報５に対応する料金案内「基本料金￥１０００の半額で追加できます」が対応付いていている。
【０１５０】
ユーザＡＡが、上記画面内の２つの追加検査「尿中インドキシル硫酸検査」および「尿中カリウム値検査」に対応する２つのチェックボックスの両方にチェックを入れた後、購入ボタンを押下する操作を行うと、端末受付部２２が当該操作を受け付け、端末送信部２４は、当該操作で選択された２つの検査識別子“尿中インドキシル硫酸検査”および“尿中カリウム値検査”と、端末格納部２１に格納されているユーザ識別子“ＡＡ”とを含む申込情報を、情報処理装置１に送信する。
【０１５１】
情報処理装置１において、申込情報受信部１２２が上記申込情報を受信し、申込情報蓄積部１３３は、受信された申込情報が有するユーザ識別子に対応付けて、当該申込情報が有する２つの検査識別子“尿中インドキシル硫酸検査”および“尿中カリウム値検査”を、ユーザ検査情報格納部１１１のユーザ検査情報１に追記する。
【０１５２】
料金算出部１３４は、受信された申込情報が有する２つの追加検査の検査識別子“尿中インドキシル硫酸検査”および“尿中カリウム値検査”に対応する２つの追加料金“￥２０００”および“￥５００”を検査料金情報格納部１１５の検査料金情報２および５からそれぞれ取得し、これら２つの追加料金を合計した合計追加料金を示す追加料金情報“￥２５００”を算出してもよい。
【０１５３】
料金蓄積部１３５は、算出された追加料金情報“￥２５００”を、ユーザ識別子“ＡＡ”に対応付けて格納部１１に蓄積する。こうして、ユーザ識別子“ＡＡ”に対応付けて格納部１１に格納される結果となった追加料金情報“￥２５００”は、送信部１４によって、例えば、当該ユーザ識別子“ＡＡ”に対応するユーザ端末２Ａに送信されてもよい。これによって、ユーザＡＡは、料金を確認できる。
【０１５４】
または、追加料金情報“￥２５００”は、例えば、ユーザ端末２Ａにおける決済指示の受け付けに応じて、送信部１４によって、当該ユーザ識別子“ＡＡ”と対に、金融機関の決済サーバに送信されてもよい。決済サーバにおいて、追加料金情報“￥２５００”に対応する金額の、ユーザＡＡから運営企業への支払いが、例えば、口座振込やクレジットカード等を用いて、電子的に実行される。
【０１５５】
その後、受信された検査依頼が有する検査識別子“尿中エクオール検査”と、受信された申込情報が有する２つの検査識別子“尿中インドキシル硫酸検査”および“尿中カリウム値検査”とが、ユーザ識別子“ＡＡ”と共に、検査機関に通知される。
【０１５６】
検査機関において、先に運営企業を通じてユーザＡＡから受領済みである検尿容器内の検体を用いて、通知された上記３つの検査識別子に対応する３つの検査が行われる。そして、これら３つの各検査の検査結果が、検査機関から運営企業に通知される。運営企業において、上記３つの各検査の検査結果が、ユーザＡＡの個人ページにアップされる。
【０１５７】
ユーザＡＡが、検査結果を閲覧するべく、ユーザ端末２Ａを用いて上記個人ページにアクセスすると、ユーザ端末２Ａのディスプレイには、例えば、図１１に示すような画面が表示される。図１１は、検査結果の出力例を示す図である。この画面は、ユーザＡＡが依頼した本来の検査のである尿中エクオール検査の結果を示す画面であり、例えば、測定されたエクオール値や、全国平均中での当該エクオール値のレベルを示すグラフなどを有する。
【０１５８】
なお、図１１の画面には、大豆を用いたレシピも記載されている。大豆は、エクオール値の改善が期待できる食品の１つである。これによって、例えば、当該レシピを試した後、再度、エクオール値の検査を受けさせる動機付けを、ユーザＡＡに与えることができる。こうして、ユーザに検査結果を通知する際に、使用前と使用後とで検査結果に差異が期待できるような食品やその調理法、サプリメント、健康器具等の商品（サービスも含む。以下、検査結果改善商品と記す場合がある）の情報をもレコメンドすることは、例えば、マーケティング上、好適である。
【０１５９】
詳しくは、情報処理装置１において、例えば、格納部１１に、検査識別子と、検査結果改善商品に関する第二レコメンド情報との対の集合が格納され、受信部１２が、外部装置（例えば、検査機関のサーバ等）から、ユーザ識別子と対に、検査識別子を有する検査結果を受信し、情報構成部１３２が、受信された検査結果が有する検査識別子と対になる検査結果改善商品に関する第二レコメンド情報を格納部１１から取得して、受信された検査結果と、取得した第二レコメンド情報とを有する画面の情報を構成し、送信部１４が、構成された画面の情報を、上記検査結果と対に受信されたユーザ識別子で識別されるユーザ端末２に送信してもよい。これにより、ユーザに検査結果を通知する画面上で、検査結果改善商品を提案できる。
【０１６０】
ただし、上記動作において、検査結果と第二レコメンド情報とは、必ずしも一の画面を構成する情報として送信されなくてもよい。この場合、情報処理装置１において、例えば、格納部１１に、検査識別子と、検査結果改善商品に関する第二レコメンド情報との対の集合が格納され、受信部１２が、外部装置（例えば、検査機関のサーバ等）から、ユーザ識別子と対に、検査識別子を有する検査結果を受信し、送信部１４が、受信された検査結果が有する検査識別子と対になる検査結果改善商品に関する第二レコメンド情報を格納部１１から取得して、受信された検査結果と共に、取得した第二レコメンド情報を、上記検査結果と対に受信されたユーザ識別子で識別されるユーザ端末２に送信してもよい。これにより、ユーザに検査結果を通知する際に、検査結果改善商品を提案できる。
【０１６１】
また、第二レコメンド情報は、必ずしも検査識別子と対に格納されなくてもよく、例えば、１以上のユーザ属性値の組と対に格納されてもよい。この場合、例えば、情報構成部１３２または送信部１４は、検査結果と対に受信されたユーザ識別子に対応するユーザ情報を用いて、当該ユーザ情報が有する１以上のユーザ属性値の組と対になる第二レコメンド情報を格納部１１から取得してもよい。また、第二レコメンド情報によるレコメンドの対象は、検査結果改善商品に限らず、例えば、クライアント企業による各種企画への参加、追加検査等、レコメンドを受けるユーザの１以上のユーザ属性値に応じた物品（サービスも含む）であれば何でもよい。
【０１６２】
また、ユーザＢＢに関する動作は、例えば、以下のようになる。ユーザＢＢもまた、ユーザ端末２Ｂを利用して上記Ｗｅｂサイトの個人ページにアクセスし、図９の画面を通じて検査依頼書への入力を行う。ユーザ端末２Ｂにおいて、１以上のユーザ属性値の入力が受け付けられ、入力された１以上のユーザ属性値とユーザ識別子“ＢＢ”とを含むユーザ情報が、情報処理装置１に送信される。
【０１６３】
情報処理装置１において、上記ユーザ情報が受信され、格納部１１には、図８に示したユーザ情報２が格納される。
【０１６４】
検体識別子取得部１３１は、受信されたユーザ識別子“ＢＢ”と対になる検査識別子“腸内痩せ菌検査”をユーザ検査情報格納部１１１のユーザ検査情報２から取得し、取得した検査識別子に対応する検体種類識別子“便”を検査情報格納部１１２の検査情報２から取得する。
【０１６５】
未検査識別子取得手段１３２１は、取得された検体種類識別子“便”と対になる１以上の検査識別子であり、受信されたユーザ識別子“ＢＢ”と対になる検査識別子“腸内痩せ菌検査”とは異なる検査識別子である未検査の検査識別子群“腸内善玉菌検査”等を、管理情報格納部１１３の管理情報２から取得する。
【０１６６】
情報構成手段１３２２は、管理情報２が有する上記未検査の検査識別子群のうち、検査条件格納部１１４の検査条件２の条件に合致する検査識別子“腸内善玉菌検査”のみを有し、かつ、これに対応する追加検査「腸内善玉菌検査」の申し込みを受け付けることができる画面の画面構成情報、および検査料金情報をも含むレコメンド情報を構成する。レコメンド情報送信部１４１は、かかるレコメンド情報をユーザ端末２Ｂに送信する。
【０１６７】
ユーザ端末２Ｂにおいて、上記レコメンド情報が受信され、そのディスプレイには、追加検査「腸内善玉菌検査」、チェックボックス、および購入ボタン等を有する画面が表示される。ユーザＢＢが画面内のチェックボックスにチェックを入れた後、購入ボタンを押下すると、検査識別子“腸内善玉菌検査”とユーザ識別子“ＢＢ”とを含む申込情報が、情報処理装置１に送信される。
【０１６８】
情報処理装置１において、申込情報受信部１２２が上記申込情報を受信し、申込情報蓄積部１３３は、ユーザ識別子“ＢＢ”に対応付けて、検査識別子“腸内善玉菌検査”を、ユーザ検査情報格納部１１１のユーザ検査情報２に追記する。料金算出部１３４は、受信された申込情報が有する検査識別子“腸内善玉菌検査”に対応する追加料金“￥６０００”を含む追加料金情報を、検査料金情報格納部１１５の検査料金情報４を用いて取得する。
【０１６９】
料金蓄積部１３５は、取得された追加料金情報“￥６０００”を、ユーザ識別子“ＢＢ”に対応付けて格納部１１に蓄積する。格納部１１の追加料金情報“￥６０００”は、ユーザＢＢによる追加料金の確認や、ユーザＢＢから運営企業への支払いに利用される。
【０１７０】
その後、ユーザ情報に含まれる検査識別子“腸内痩せ菌検査”と、申込情報に含まれる“腸内善玉菌検査”とが、ユーザ識別子“ＢＢ”と共に検査機関に通知される。検査機関において、ユーザＢＢからの検体を用いて、上記２つ検査識別子に対応する２つの検査が行われ、それらの検査結果が運営企業に通知される。運営企業において、２つの検査結果がユーザＢＢの個人ページにアップされ、ユーザＢＢは、個人ページを通じて２つの検査結果を閲覧できる。
【０１７１】
以上、本実施の形態によれば、ユーザを識別するユーザ識別子とユーザの生体の検査を識別する検査識別子とを有する１以上のユーザ検査情報がユーザ検査情報格納部１１１に格納され、検査識別子と検体の種類を識別する検体種類識別子とを有する２以上の検査情報が検査情報格納部１１２に格納され、情報処理装置１は、ユーザ識別子を含むユーザ情報をユーザ端末２から受信し、受信したユーザ識別子に対応する検体種類識別子を取得し、取得した検体種類識別子に対応する１以上の元情報を取得し、当該１以上の元情報からユーザに推奨する情報であるレコメンド情報を構成し、レコメンド情報をユーザ端末２に送信することにより、ユーザの生体の検査で使用する検体を適切に利用する仕組みを提供できる。
【０１７２】
なお、上記構成において、検体種類識別子に対応する元情報を有する１以上の管理情報が管理情報格納部１１３に格納されてもよい。
【０１７３】
また、上記元情報は、検査識別子であり、情報処理装置１は、取得した検体種類識別子と対になる１以上の検査識別子であり、受信したユーザ識別子と対になる検査識別子とは異なる検査識別子である１以上の未検査の検査識別子を取得し、１以上の未検査の各検査識別子を有する管理情報の一部または全部を用いて、ユーザに勧める１以上の追加検査に関するレコメンド情報を構成することにより、ユーザの生体の検査で使用する検体を適切に利用できる追加検査をユーザに提案できる。
【０１７４】
また、ユーザの属性値を示す１以上のユーザ属性値を用いた条件と、検査識別子とを有する１以上の検査条件が検査条件格納部１１４に格納され、上記ユーザ情報は、１以上のユーザ属性値を含み、情報処理装置１は、１以上の未検査の検査識別子の中で、ユーザ情報に含まれる１以上のユーザ属性値が合致する条件と対になる１以上の未検査の検査識別子を取得することにより、ユーザ属性値をも用いて、検体を適切に利用できる追加検査をユーザに提案できる。
【０１７５】
また、情報処理装置１は、１以上の追加検査に対する申し込みを受け付けることができる画面の情報であるレコメンド情報を構成し、ユーザ端末２から追加検査を識別する１以上の検査識別子とユーザ識別子とを含む申込情報を受信し、申込情報が有するユーザ識別子に対応付けて、申込情報が有する１以上の検査識別子を、ユーザ検査情報格納部１１１に追記することにより、検体を適切に利用する追加検査を申し込むことができる仕組みを提供できる。
【０１７６】
また、検査識別子と検査の基本料金を示す基本料金情報とを有する２以上の検査料金情報が検査料金情報格納部１１５に格納され、情報処理装置１は、申込情報が有する１以上の各検査識別子に対応する追加検査の料金であり、１以上の各検査識別子に対応する基本料金情報が示す基本料金より安い金額の追加料金情報を取得し、追加検査情報を、ユーザ識別子に対応付けて蓄積することによって、安価な追加検査を提供することにより、情報処理装置１は、追加検査の申込みを促進できる。
【０１７７】
さらに、情報処理装置１は、後述する実施の形態２の情報処理装置３が有する機能をも有していてもよい。
【０１７８】
さらに、本実施の形態における処理は、ソフトウェアで実現してもよい。そして、このソフトウェアをソフトウェアダウンロード等により配布してもよい。また、このソフトウェアをＣＤ−ＲＯＭなどの記録媒体に記録して流布してもよい。なお、このことは、本明細書における他の実施の形態においても該当する。なお、本実施の形態における情報処理装置１を実現するソフトウェアは、以下のようなプログラムである。
【０１７９】
つまり、コンピュータがアクセス可能な記録媒体は、ユーザを識別するユーザ識別子とユーザの生体の検査を識別する検査識別子とを有する１以上のユーザ検査情報が格納されるユーザ検査情報格納部１１１と、検査識別子と検体の種類を識別する検体種類識別子とを有する２以上の検査情報が格納される検査情報格納部１１２とを具備し、このプログラムは、前記コンピュータを、ユーザ識別子を含むユーザ情報をユーザ端末２から受信するユーザ情報受信部１２１と、前記ユーザ情報受信部１２１が受信したユーザ識別子に対応する検体種類識別子を取得する検体識別子取得部１３１と、前記検体識別子取得部１３１が取得した検体種類識別子に対応する１以上の元情報を取得し、当該１以上の元情報からユーザに推奨する情報であるレコメンド情報を構成する情報構成部１３２と、前記レコメンド情報を前記ユーザ端末２に送信するレコメンド情報送信部１４１として機能させるためのプログラムである。
【０１８０】
なお、実施の形態１では、検査を受けるユーザに、当該検査と同じ検体を用いて行う追加検査をレコメンドする情報システムについて説明したが、実施の形態２では、検査を受けるユーザに、当該検査と同じ検体を用いて行われる研究への参加をレコメンドする情報システムについて説明する。
【０１８１】
両者の間の主要な相違は、例えば、レコメンド情報の元となる元情報が、前者では検査識別子であるのに対し、後者では研究識別子である点にのみ存在するといってもよい。そこで、以下では、相違点のみ詳しく説明し、共通する事項の説明は、省略または簡略化する。
【０１８２】
ただし、実施の形態１において、検査を受けるユーザに、当該検査と同じ検体を用いて行う追加検査に加えて、当該検査と同じ検体を用いて行われる研究への参加をもレコメンドしてもよいことは、いうまもない。同様に、実施の形態２において、検査を受けるユーザに、当該検査と同じ検体を用いて行われる研究への参加に加えて、当該検査と同じ検体を用いて行う追加検査をもレコメンドして構わない。
【０１８３】
（実施の形態２）
図１２は、本実施の形態における情報システム２００のブロック図である。情報システム２００は、情報処理装置３、および１または２以上のユーザ端末２を備える。
【０１８４】
情報処理装置３は、格納部３１、受信部３２、処理部３３、および送信部１４を備える。格納部３１は、ユーザ検査情報格納部１１１、検査情報格納部１１２、管理情報格納部１１３ａ、および研究参加条件格納部３１４を備える。受信部３２は、ユーザ情報受信部１２１、および申込情報受信部３２２を備える。処理部３３は、検体識別子取得部１３１、情報構成部３３２、申込情報蓄積部３３３、報酬情報取得部３３４、および酬情報蓄積部３３５を備える。情報構成部３３２は、参加研究識別子取得手段３３２１、および情報構成手段３３２２を備える。
【０１８５】
すなわち、情報処理装置３を構成する格納部３１は、前実施形態の情報処理装置１を構成する格納部１１に対し、管理情報格納部１１３を管理情報格納部１１３ａに、検査条件格納部１１４を研究参加条件格納部３１４に、それぞれ置き換え、かつ検査料金情報格納部１１５を削除したものである。
【０１８６】
管理情報格納部１１３ａには、前実施形態の管理情報格納部１１３と同様、検体種類識別子に対応する元情報を有する１以上の管理情報が格納される。ただし、管理情報格納部１１３ａに格納される元情報は、研究識別子である。
【０１８７】
研究識別子とは、研究を識別する情報である。研究とは、前実施形態で言及したように、通常、ユーザが受ける検査と同じ検体を用いて行われる研究である。例えば、前述した尿中エクオール検査や尿中インドキシル硫酸検査等、尿を検体とする検査に対しては、これと同じ検体を用いる研究として、尿中カリウム値の全国調査や、エクオール生産能と更年期症状との関連に関する研究等がある。また、例えば、腸内痩せ菌検査等、便を検体とする検査に対しては、これと同じ検体を用いる研究として、腸内痩せ菌とヨーグルト摂取量との関連に関する研究などがある。ただし、ユーザが受ける検査と同じ検体を用いて行われる研究であれば、検体の種類や研究の内容は問わない。研究識別子は、例えば、“尿中カリウム値の全国調査”等の研究名やＩＤなどであるが、研究を識別し得る情報であれば何でもよい。
【０１８８】
具体的には、管理情報格納部１１３ａには、例えば、図１４に示すように、検体種類識別子“尿”と、元情報群“尿中カリウム値の全国調査”および“エクオール生産能と更年期症状との関連に関する研究”等とを有する管理情報（管理情報１ａ）、検体種類識別子“便”と、元情報群“腸内痩せ菌とヨーグルト摂取量との関連に関する研究”等とを有する管理情報（管理情報２ａ）などが格納されてもよい。
【０１８９】
研究参加条件格納部３１４には、１以上の研究参加条件が格納される。研究参加条件とは、研究への参加を推薦する条件である。研究参加条件とは、一のユーザに対応する管理情報が有する１以上の研究識別子のうち、そのユーザに推薦する１以上の研究識別子を選択するための条件であるともいえる。研究参加条件は、例えば、１以上のユーザ属性値を用いた条件と、研究識別子とを有する。
【０１９０】
具体的には、研究参加条件格納部３１４には、例えば、図１５に示すように、条件“飲酒一日２合以上”と研究識別子“尿中カリウム値の全国調査”とを有する研究参加条件（以下、研究参加条件１と記す場合がある）、条件“女”と研究識別子“エクオール生産能と更年期症状との関連に関する研究”とを有する研究参加条件（検査条件２）、条件“Ｎｕｌｌ”と研究識別子“腸内痩せ菌とヨーグルト摂取量との関連に関する研究”とを有する研究参加条件（検査条件３）等が格納されていてもよい。なお、Ｎｕｌｌは、当該条件が存在しないことを示す情報である。
【０１９１】
受信部３２は、前実施形態の受信部１２に対し、申込情報受信部１２２を申込情報受信部３２２に置き換えたものである。
【０１９２】
申込情報受信部３２２は、前実施形態の受信部１２と同様、ユーザ端末２から申込情報を受信する。ただし、本実施形態における申込情報とは、研究への参加を申し込む情報である。申込情報は、ユーザ識別子と、参加する研究を識別する１以上の研究識別子とを含む。
【０１９３】
参加する研究とは、例えば、ユーザが購入した検査キットの検査と同じ検体を利用して行われる研究であるといってもよい。参加する研究は、例えば、検査キットによる本来の検査の結果を利用できる研究であることは好適である。ただし、参加する研究は、本来の検査と同じ検体を用いて行う別の検査の結果のみを利用する研究であっても構わない。また、参加する研究の種類は問わない。
【０１９４】
処理部３３は、前実施形態の処理部１３に対し、情報構成部１３２、申込情報蓄積部１３３、料金算出部１３４、および料金蓄積部１３５を、情報構成部３３２、申込情報蓄積部３３３、報酬情報取得部３３４、および酬情報蓄積部３３５に、それぞれ置き換えたものである。
【０１９５】
情報構成部３３２は、前実施形態の情報構成部１３２と同様、検体識別子取得部１３１が取得した検体種類識別子に対応する１以上の元情報から、ユーザに推奨する情報であるレコメンド情報を構成する。ただし、本実施形態におけるレコメンド情報は、例えば、参加する研究を識別する１以上の研究識別子である。
【０１９６】
参加研究識別子取得手段３３２１は、検体識別子取得部１３１が取得した検体種類識別子と対になる１以上の研究識別子を取得する。
【０１９７】
また、参加研究識別子取得手段３３２１は、検体識別子取得部１３１が取得した１以上の研究識別子の中で、例えば、ユーザ情報に含まれる１以上のユーザ属性値が合致する条件と対になる１以上の研究識別子を取得することは好適である。
【０１９８】
情報構成手段３３２２は、検体種類識別子と対になる１以上の研究識別子を有する管理情報の一部または全部を用いて、ユーザに勧める１以上の研究参加に関するレコメンド情報を構成する。
【０１９９】
情報構成手段３３２２は、１以上の研究参加に対する申し込みを受け付けることができる画面の情報であるレコメンド情報を構成することは好適である。なお、画面の基本的な構成、およびレコメンド情報を構成する手順等は、追加検査に関する事項が研究参加に関する事項に置き換えられる点を除き、基本的には、前実施形態と同様でよい。
【０２００】
申込情報蓄積部３３３は、申込情報が有するユーザ識別子に対応付けて、申込情報が有する１以上の研究識別子を、ユーザ検査情報格納部１１１に追記する。
【０２０１】
報酬情報取得部３３４は、上記研究識別子の追記に対応して、報酬情報を取得する。報酬情報とは、報酬に関する情報である。報酬情報は、通常、申込情報が有するユーザ識別子に対応するユーザに対して与える報酬を示す情報である。報酬とは、研究への参加に対する対価として支払われる金銭や物品である。金銭は、電子マネーやポイント等も含む。物品は、例えば、割引券や景品等、何でもよい。報酬情報は、例えば、金額やポイントを示す文字情報でもよいし、割引券等の画像でもよい。なお、報酬情報は、例えば、研究を行う研究機関や企業等のＷｅｂサイトから取得されてもよいし、格納部３１に予め格納されていてもよく、その取得先は問わない。
【０２０２】
酬情報蓄積部３３５は、ユーザ情報受信部１２１が受信した申込情報が有するユーザ識別子に対応付けて、報酬情報取得部３３４が取得した報酬情報を格納部３１に蓄積する。
【０２０３】
次に、情報システム２００の動作について図１３のフローチャートを用いて説明する。図１３は、情報処理装置３の動作を説明するフローチャートである。このフローチャートは、前実施形態のフローチャート（図２参照）において、ステップＳ２０４，Ｓ２０５，Ｓ２０９およびＳ２１０を、ステップＳ２０４ａ，Ｓ２０５ａ，Ｓ１３０９およびＳ１３１０に、それぞれ置き換えたものである。
【０２０４】
ステップＳ２０１〜Ｓ２０３、およびＳ２０６〜Ｓ２０８は、前実施形態と同じである。ただし、格納部１１等は、格納部３１等と読み替え、検査識別子は、研究識別子と読み替える。
【０２０５】
（ステップＳ２０４ａ）参加研究識別子取得手段３３２１は、ステップＳ２０３で取得された検体種類識別子と対になる１以上の研究識別子であり、ステップＳ２０１で受信されたユーザ情報に含まれる１以上のユーザ属性値が合致する条件と対になる１以上の研究識別子を、研究参加条件格納部３１４の研究参加条件を用いて、管理情報格納部１１３ａから取得する。
【０２０６】
（ステップＳ２０５ａ）情報構成手段３３２２は、ステップＳ２０３で取得された検体種類識別子と対になる１以上の研究識別子を有する管理情報の一部または全部を用いて、ユーザに勧める１以上の研究参加に関するレコメンド情報を構成する。
【０２０７】
（ステップＳ１３０９）報酬情報取得部３３４は、ステップＳ２０８での研究識別子の追記に対応して、ステップＳ２０７で受信された申込情報が有するユーザ識別子に対応するユーザに対して与える報酬を示す報酬情報を、例えば、研究機関等のＷｅｂサイトから取得する。
【０２０８】
（ステップＳ１３１０）酬情報蓄積部３３５は、ステップＳ２０８で受信された申込情報が有するユーザ識別子に対応付けて、ステップＳ１３０９で取得された報酬情報を格納部３１に蓄積する。その後、ステップＳ２０１に戻る。
【０２０９】
以下、本実施の形態における情報システム２００の具体的な動作例について説明する。なお、ユーザＡＡによる検査依頼書への入力から、検体識別子取得部１３１による検体種類識別子“尿”の取得までの動作は、前実施形態の具体例と同じである。
【０２１０】
すなわち、情報処理装置３において、ユーザ情報受信部１２１が、ユーザ識別子“ＡＡ”を含むユーザ情報をユーザ端末２Ａから受信し、検体識別子取得部１３１は、ユーザ検査情報格納部１１１のユーザ検査情報１を用いて、この受信されたユーザ識別子“ＡＡ”に対応する検体種類識別子“尿”を取得する。参加研究識別子取得手段３３２１は、管理情報格納部１１３ａの管理情報１ａを用いて、取得された検体種類識別子“尿”と対になる１以上の検査識別子“尿中カリウム値の全国調査”，“エクオール生産能と更年期症状との関連に関する研究”等を取得し、次に、研究参加条件格納部３１４の研究参加条件１を用いて、当該１以上の検査識別子のうち、受信されたユーザ情報に含まれる１以上のユーザ属性値が合致する条件と対になる研究識別子“尿中カリウム値の全国調査”を取得する。なお、受信されたユーザ情報に含まれる１以上のユーザ属性値の１つである“男”が、研究参加条件２が有する条件“女”に合致しないため、研究識別子“エクオール生産能と更年期症状との関連に関する研究”は、ここでは取得されない。
【０２１１】
情報構成手段３３２２は、こうして取得された研究識別子“尿中カリウム値の全国調査”、および画面構成情報等を含むレコメンド情報を構成する。レコメンド情報送信部１４１は、かかるレコメンド情報をユーザ端末２Ａに送信する。
【０２１２】
ユーザ端末２Ａにおいて、上記レコメンド情報が受信され、そのディスプレイには、例えば、図１６に示すような画面が表示される。図１６は、レコメンド情報の出力例を示す図である。この画面は、研究「尿中カリウム値の全国調査」への参加案内、アンケートとそれへの回答の入力欄、および参加申込ボタン等を有する。ユーザＡＡが入力欄にアンケートへの回答を入力した後、参加申込ボタンを押下すると、研究識別子“尿中カリウム値の全国調査”とユーザ識別子“ＡＡ”とを含む申込情報が、情報処理装置３に送信される。
【０２１３】
なお、図１６の画面は、例えば、上記研究に関する説明文書をダウンロードするためのボタンや、説明文書のページへのリンクなどを有していてもよい。説明文書には、例えは、研究の目的や意義並びに方法、研究対象者に生じる負担、予測される結果などが記載されている。かかるボタンやリンクの操作によって、ユーザは、研究への参加を申し込む前に、その研究の説明文書を閲覧することができる。
【０２１４】
また、図１６の画面は、例えば、上記研究への参加に同意する旨の文字列とそれに対応付いたチェックボックスとの組、または、研究参加に関する同意文書をダウンロードするためのボタンを、さらに有していてもよい。かかるチェックボックスやボタンは、初めから画面に表示されていてもよいし、上記説明文書を閲覧した旨の操作が行われたことに応じて、画面に表示されてもよい。ユーザは、研究への参加を申し込む際に、チェックボックスにチェックを入れておくことで、研究参加に同意する旨を示すができる。または、ユーザは、ボタン操作により同意文書ダウンロードし、同意する旨を記入した後、郵送またはメールに添付して送信することによっても、研究参加への同意を表明できる。
【０２１５】
情報処理装置３において、申込情報受信部３２２が上記申込情報を受信し、申込情報蓄積部３３３は、ユーザ識別子“ＡＡ”に対応付けて、研究識別子“尿中カリウム値の全国調査”を、ユーザ検査情報格納部１１１のユーザ検査情報１に追記する。報酬情報取得部３３４は、ユーザＡＡに対して与える報酬を示す報酬情報を研究機関等のＷｅｂサイトから取得し、酬情報蓄積部３３５は、取得された報酬情報をユーザ識別子“ＡＡ”に対応付けて格納部３１に蓄積する。
【０２１６】
格納部３１の報酬情報は、ユーザＡＡの個人ページにアップされ、ユーザＡＡは、例えば、図１７に示すような画面を通じて、報酬情報を閲覧できる。図１７は、報酬情報の出力例を示す図である。この画面は、報酬情報に対応するメッセージ「ポイントが加算されました…現在のポイント：２５０Ｐｔ」等を有する。
【０２１７】
なお、便を検体とする腸内痩せ菌検査を受けるユーザＢＢに対しては、研究参加条件３を用いて、研究識別子“内痩せ菌とヨーグルト摂取量との関連に関する研究”が管理情報２ａから取得され、これを含むレコメンド情報が構成される。
【０２１８】
以上、本実施の形態によれば、ユーザを識別するユーザ識別子とユーザの生体の検査を識別する検査識別子とを有する１以上のユーザ検査情報がユーザ検査情報格納部１１１に格納され、検査識別子と検体の種類を識別する検体種類識別子とを有する２以上の検査情報が検査情報格納部１１２に格納され、情報処理装置３は、ユーザ識別子を含むユーザ情報をユーザ端末２から受信し、受信したユーザ識別子に対応する検体種類識別子を取得し、取得した検体種類識別子に対応する１以上の元情報を取得し、当該１以上の元情報からユーザに推奨する情報であるレコメンド情報を構成し、レコメンド情報をユーザ端末２に送信することにより、ユーザの生体の検査で使用する検体を適切に利用する仕組みを提供できる。
【０２１９】
また、検体種類識別子に対応する元情報を有する１以上の管理情報が管理情報格納部１１３ａに格納され、上記元情報は、研究を識別する研究識別子であり、情報処理装置３は、取得した検体種類識別子と対になる１以上の研究識別子を取得し、１以上の研究識別子を有する管理情報の一部または全部を用いて、ユーザに勧める１以上の研究参加に関するレコメンド情報を構成することにより、ユーザの生体の検査で使用する検体を適切に利用できる研究参加をユーザに提案できる。
【０２２０】
また、１以上のユーザ属性値を用いた条件と、研究識別子とを有する１以上の研究参加条件が研究参加条件格納部３１４に格納され、上記ユーザ情報は、１以上のユーザ属性値を含み、情報処理装置３は、１以上の研究識別子の中で、ユーザ情報に含まれる１以上のユーザ属性値が合致する条件と対になる１以上の研究識別子を取得することにより、ユーザ属性値をも用いて、検体を適切に利用できる研究参加をユーザに提案できる。
【０２２１】
また、情報処理装置３は、１以上の研究参加に対する申し込みを受け付けることができる画面の情報であるレコメンド情報を構成し、ユーザ端末２から参加する研究を識別する１以上の研究識別子とユーザ識別子とを含む申込情報を受信し、申込情報が有するユーザ識別子に対応付けて、申込情報が有する１以上の研究識別子を、ユーザ検査情報格納部１１１に追記することにより、検体を適切に利用する研究参加を申し込むことができる仕組みを提供できる。
【０２２２】
また、情報処理装置３は、研究識別子の追記に対応して、ユーザ識別子に対応するユーザに対して与える報酬を示す報酬情報を取得し、申込情報が有するユーザ識別子に対応付けて、報酬情報を蓄積することによって、ユーザに報酬を与えることにより、研究参加の申込みを促進できる。
【０２２３】
さらに、情報処理装置３は、前述した実施の形態１の情報処理装置１が有する機能をも有していてもよい。
【０２２４】
さらに、本実施の形態における処理は、ソフトウェアで実現してもよい。そして、このソフトウェアをソフトウェアダウンロード等により配布してもよい。また、このソフトウェアをＣＤ−ＲＯＭなどの記録媒体に記録して流布してもよい。なお、このことは、本明細書における他の実施の形態においても該当する。なお、本実施の形態における情報処理装置３を実現するソフトウェアは、例えば、以下のようなプログラムである。
【０２２５】
つまり、コンピュータがアクセス可能な記録媒体は、ユーザを識別するユーザ識別子とユーザの生体の検査を識別する検査識別子とを有する１以上のユーザ検査情報が格納されるユーザ検査情報格納部１１１と、検査識別子と検体の種類を識別する検体種類識別子とを有する２以上の検査情報が格納される検査情報格納部１１２とを具備し、このプログラムは、前記コンピュータを、ユーザ識別子を含むユーザ情報をユーザ端末２から受信するユーザ情報受信部１２１と、前記ユーザ情報受信部１２１が受信したユーザ識別子に対応する検体種類識別子を取得する検体識別子取得部１３１と、前記検体識別子取得部１３１が取得した検体種類識別子に対応する１以上の元情報を取得し、当該１以上の元情報からユーザに推奨する情報であるレコメンド情報を構成する情報構成部３３２と、前記レコメンド情報を前記ユーザ端末２に送信するレコメンド情報送信部１４１として機能させるためのプログラムである。
【０２２６】
図１８は、各実施の形態におけるプログラムを実行して、情報処理装置１等を実現するコンピュータシステム９００の外観図である。本実施の形態は、コンピュータハードウェアおよびその上で実行されるコンピュータプログラムによって実現され得る。図１８において、コンピュータシステム９００は、ディスクドライブ９０５を含むコンピュータ９０１と、キーボード９０２と、マウス９０３と、ディスプレイ９０４とを備える。なお、キーボード９０２やマウス９０３やディスプレイ９０４をも含むシステム全体をコンピュータと呼んでもよい。
【０２２７】
図１９は、コンピュータシステム９００の内部構成の一例を示す図である。図１９において、コンピュータ９０１は、ディスクドライブ９０５に加えて、ＭＰＵ９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ９１３と、アプリケーションプログラム、システムプログラム、およびデータを記憶するストレージ９１４と、ＭＰＵ９１１、ＲＯＭ９１２等を相互に接続するバス９１５と、外部ネットワークや内部ネットワーク等のネットワークへの接続を提供するネットワークカード９１６と、を備える。ストレージ９１４は、例えば、ハードディスク、ＳＳＤ、フラッシュメモリなどである。
【０２２８】
コンピュータシステム９００に、情報処理装置１等の機能を実行させるプログラムは、例えば、ＤＶＤ、ＣＤ−ＲＯＭ等のディスク９２１に記憶されて、ディスクドライブ９０５に挿入され、ストレージ９１４に転送されてもよい。これに代えて、そのプログラムは、ネットワークを介してコンピュータ９０１に送信され、ストレージ９１４に記憶されてもよい。プログラムは、実行の際にＲＡＭ９１３にロードされる。なお、プログラムは、ディスク９２１、またはネットワークから直接、ロードされてもよい。また、ディスク９２１に代えて他の着脱可能な記録媒体（例えば、ＤＶＤやメモリカード等）を介して、プログラムがコンピュータシステム９００に読み込まれてもよい。
【０２２９】
プログラムは、コンピュータの詳細を示す９０１に、情報処理装置１等の機能を実行させるオペレーティングシステム（ＯＳ）、またはサードパーティプログラム等を必ずしも含んでいなくてもよい。プログラムは、制御された態様で適切な機能やモジュールを呼び出し、所望の結果が得られるようにする命令の部分のみを含んでいてもよい。コンピュータシステム９００がどのように動作するのかについては周知であり、詳細な説明は省略する。
【０２３０】
なお、上述したコンピュータシステム９００は、サーバまたは据え置き型のＰＣであるが、ユーザ端末２は、例えば、スマートフォン等の携帯端末で実現されてもよい。この場合、例えば、キーボード９０２およびマウス９０３はタッチパネルに、ディスクドライブ９０５はメモリカードスロットに、ディスク９２１はメモリカードに、それぞれ置き換えられることが望ましい。ただし、以上は例示であり、情報処理装置１等を実現するコンピュータのハードウェア構成は問わない。
【０２３１】
なお、上記プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。
【０２３２】
また、上記プログラムを実行するコンピュータは、単数であってもよく、複数であってもよい。すなわち、集中処理を行ってもよく、あるいは分散処理を行ってもよい。
【０２３３】
また、上記各実施の形態において、一の装置に存在する２以上の通信手段（送信部１４、受信部１２など）は、物理的に一の媒体で実現されてもよいことは言うまでもない。
【０２３４】
また、上記各実施の形態において、各処理（各機能）は、単一の装置（システム）によって集中処理されることによって実現されてもよく、あるいは、複数の装置によって分散処理されることによって実現されてもよい。
【０２３５】
本発明は、以上の実施の形態に限定されることなく、種々の変更が可能であり、それらも本発明の範囲内に包含されるものであることは言うまでもない。
【産業上の利用可能性】
【０２３６】
以上のように、本発明にかかる情報処理装置は、ユーザの生体の検査で使用する検体を適切に利用する仕組みを提供できるという効果を有し、情報処理装置等として有用である。
【符号の説明】
【０２３７】
１、３  情報処理装置
２  ユーザ端末
１１、３１  格納部
１２、３２  受信部
１３、３３  処理部
１４  送信部
２１  端末格納部
２２  端末受付部
２３  端末処理部
２４  端末送信部
２５  端末受信部
２６  端末出力部
１００、２００  情報システム
１１１  ユーザ検査情報格納部
１１２  検査情報格納部
１１３、１１３ａ  管理情報格納部
１１４  検査条件格納部
１１５  検査料金情報格納部
１２１  ユーザ情報受信部
１２２、３２２  申込情報受信部
１３１  検体識別子取得部
１３２、３３２  情報構成部
１３３、３３３  申込情報蓄積部
１３４  料金算出部
１３５  料金蓄積部
１４１  レコメンド情報送信部
３１４  研究参加条件格納部
３３４  報酬情報取得部
３３５  酬情報蓄積部
１３２１  未検査識別子取得手段
１３２２、３３２２  情報構成手段
３３２１  参加研究識別子取得手段
【図１】
2019053552.tif 000003
【図２】
2019053552.tif 000004
【図３】
2019053552.tif 000005
【図４】
2019053552.tif 000006
【図５】
2019053552.tif 000007
【図６】
2019053552.tif 000008
【図７】
2019053552.tif 000009
【図８】
2019053552.tif 000010
【図９】
2019053552.tif 000011
【図１０】
2019053552.tif 000012
【図１１】
2019053552.tif 000013
【図１２】
2019053552.tif 000014
【図１３】
2019053552.tif 000015
【図１４】
2019053552.tif 000016
【図１５】
2019053552.tif 000017
【図１６】
2019053552.tif 000018
【図１７】
2019053552.tif 000019
【図１８】
2019053552.tif 000020
【図１９】
2019053552.tif 000021